(57)【要約】【課題】端末に複数の単位バンドが設定される場合でもＣＣＥブロック率を増加させることなく、端末のブラインド復号回数を低減すること。【解決手段】サーチスペース設定部（１０３）は、複数の単位バンドを使用して通信する端末および他の端末に対して共通のサーチスペースを複数の単位バンド毎に設定し、端末に対して個別のサーチスペースを複数の単位バンド毎に設定し、割当部（１０６）は、複数の単位バンドのうち特定の単位バンドに設定された共通のサーチスペース内のＣＣＥまたは特定の単位バンドに設定された個別のサーチスペース内のＣＣＥにのみ制御情報を割り当てる、または、複数の単位バンドにそれぞれ設定された共通のサーチスペースおよび個別のサーチスペースのうち共通のサーチスペース内のＣＣＥにのみ制御情報を割り当てる。【選択図】図１
2014195313.tif 000002
【特許請求の範囲】
【請求項１】
リソース割当情報を含む制御情報であって、複数の単位バンドを使用して通信する複数の端末装置に対して共通のサーチスペース内のＣＣＥまたは前記複数の端末装置のそれぞれに対して個別のサーチスペース内のＣＣＥに割り当てられた前記制御情報を受信する受信手段と、
前記制御情報を復号する復号手段と、
を具備し、
前記制御情報が、前記複数の端末装置に共通に使用されるフォーマットであり、前記リソース割当情報によって示される割当対象である単位バンドを指示する指示情報を含む場合、前記制御情報は、前記複数の単位バンドのうち、特定の単位バンドに設定された前記個別のサーチスペース内のＣＣＥに割り当てられ、
前記制御情報が、前記複数の端末装置に共通に使用されるフォーマットであり、前記リソース割当情報によって示される割当対象である単位バンドを指示する指示情報を含まない場合、前記制御情報は、前記複数の単位バンドのうち、前記特定の単位バンドに設定された前記共通のサーチスペース内のＣＣＥに割り当てられる、
通信装置。
【請求項２】
前記制御情報が、前記複数の端末装置のそれぞれに対して個別に使用されるフォーマットである場合、前記制御情報は、前記複数の単位バンドのうち、いずれかの単位バンドに設定された前記個別のサーチスペース内のＣＣＥに割り当てられる、
請求項１記載の通信装置。
【請求項３】
前記複数の単位バンドのそれぞれに対する前記個別のサーチスペースすべてが、前記特定の単位バンドに設定され、
前記制御情報は、前記リソース割当情報によって示される割当対象である単位バンドに対応する前記個別のサーチスペース内のＣＣＥに割り当てられる、
請求項１記載の通信装置。
【請求項４】
前記複数の端末装置に共通に使用されるフォーマットは、送信モードに依存しないフォーマットである、
請求項１から３のいずれかに記載の通信装置。
【請求項５】
前記複数の端末装置に共通に使用されるフォーマットは、フォーマット０又はフォーマット１Ａである、
請求項１から４のいずれかに記載の通信装置。
【請求項６】
リソース割当情報を含む制御情報であって、複数の単位バンドを使用して通信する複数の端末装置に対して共通のサーチスペース内のＣＣＥまたは前記複数の端末装置のそれぞれに対して個別のサーチスペース内のＣＣＥに割り当てられたられた前記制御情報を受信する工程と、
前記制御情報を復号する工程と、
を具備し、
前記制御情報が、前記複数の端末装置に共通に使用されるフォーマットであり、前記リソース割当情報によって示される割当対象である単位バンドを指示する指示情報を含む場合、前記制御情報は、前記複数の単位バンドのうち、特定の単位バンドに設定された前記個別のサーチスペース内のＣＣＥに割り当てられ、
前記制御情報が、前記複数の端末装置に共通に使用されるフォーマットであり、前記リソース割当情報によって示される割当対象である単位バンドを指示する指示情報を含まない場合、前記制御情報は、前記複数の単位バンドのうち、前記特定の単位バンドに設定された前記共通のサーチスペース内のＣＣＥに割り当てられる、
制御情報受信方法。
【請求項７】
リソース割当情報を含む制御情報であって、複数の単位バンドを使用して通信する複数の端末装置に対して共通のサーチスペース内のＣＣＥまたは前記複数の端末装置のそれぞれに対して個別のサーチスペース内のＣＣＥに割り当てられたられた前記制御情報を受信する処理と、
前記制御情報を復号する処理と、
を制御し、
前記制御情報が、前記複数の端末装置に共通に使用されるフォーマットであり、前記リソース割当情報によって示される割当対象である単位バンドを指示する指示情報を含む場合、前記制御情報は、前記複数の単位バンドのうち、特定の単位バンドに設定された前記個別のサーチスペース内のＣＣＥに割り当てられ、
前記制御情報が、前記複数の端末装置に共通に使用されるフォーマットであり、前記リソース割当情報によって示される割当対象である単位バンドを指示する指示情報を含まない場合、前記制御情報は、前記複数の単位バンドのうち、前記特定の単位バンドに設定された前記共通のサーチスペース内のＣＣＥに割り当てられる、
集積回路。
【発明の詳細な説明】
【技術分野】
【０００１】
本発明は、通信装置、制御情報受信方法および集積回路に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。
【０００３】
ＬＴＥでは、無線通信基地局装置（以下、基地局と省略する）はシステム帯域内のリソースブロック（Resource Block：ＲＢ）を、サブフレームと呼ばれる時間単位毎に無線通信端末装置（以下、端末と省略する）に割り当てることにより通信を行う。また、基地局は下り回線データおよび上り回線データのリソース割当結果を通知するための割当制御情報（Ｌ１／Ｌ２制御情報）を端末へ送信する。この割当制御情報は例えばＰＤＣＣＨ（Physical Downlink Control Channel）等の下り回線制御チャネルを用いて端末へ送信される。ここで、各ＰＤＣＣＨは１つまたは連続する複数のＣＣＥ（Control Channel Element）で構成されるリソースを占有する。ＬＴＥでは、ＰＤＣＣＨが占有するＣＣＥ数（ＣＣＥ連結数：CCE aggregation level）は、割当制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。
【０００４】
また、基地局は１サブフレームに複数の端末を割り当てる場合、複数のＰＤＣＣＨを同時に送信する。このとき、基地局は、各ＰＤＣＣＨの送信先の端末を識別するために、送信先の端末ＩＤでマスキング（または、スクランブリング）したＣＲＣビットをＰＤＣＣＨに含めて送信する。そして、端末は、自端末宛ての可能性がある複数のＰＤＣＣＨにおいて、自端末の端末ＩＤでＣＲＣビットをデマスキング（または、デスクランブリング）することによりＰＤＣＣＨをブラインド復号して自端末宛のＰＤＣＣＨを検出する。
【０００５】
また、基地局から送信される割当制御情報はＤＣＩ（Downlink Control Information）と呼ばれ、基地局が端末に対して割り当てたリソースの情報（リソース割当情報）およびＭＣＳ（Modulation and channel Coding Scheme）等が含まれる。ＤＣＩには、上り回線用、下り回線ＭＩＭＯ（Multiple Input Multiple Output）送信用、下り回線非連続帯域割当用等の複数のフォーマットがある。端末は、複数のフォーマットを有する、下り割当制御情報（下り回線に関する割当制御情報）および上り割当制御情報（上り回線に関する割当制御情報）の両方を受信する必要がある。
【０００６】
例えば、下り割当制御情報には、基地局の送信アンテナ制御方法およびリソース割当方法等により複数のサイズのフォーマットが定義される。その複数のフォーマットのうち、連続帯域割当を行う下り割当制御情報フォーマット（以下、単に「下り割当制御情報」という）と、連続帯域割当を行う上り割当制御情報フォーマット（以下、単に「上り割当制御情報」という）とは同一サイズを有する。これらのフォーマット（ＤＣＩフォーマット）には、割当制御情報の種別（下り割当制御情報または上り割当制御情報）を示す種別情報（例えば、１ビットのフラグ）が含まれる。よって、端末は、下り割当制御情報を示すＤＣＩのサイズと、上り割当制御情報を示すＤＣＩのサイズとが同一であっても、割当制御情報に含まれる種別情報を確認することにより、下り割当制御情報または上り割当制御情報のいずれであるかを特定することができる。
【０００７】
なお、連続帯域割当を行う上り割当制御情報が送信される際のＤＣＩフォーマットは、ＤＣＩ  ｆｏｒｍａｔ０（以下、ＤＣＩ  ０という）と呼ばれ、連続帯域割当を行う下り割当制御情報が送信される際のＤＣＩフォーマットは、ＤＣＩ  ｆｏｒｍａｔ１Ａ（以下、ＤＣＩ  １Ａという）と呼ばれる。なお、上述したようにＤＣＩ  ０およびＤＣＩ  １Ａは、同一サイズであり種別情報によって区別できるので、以下の説明では、ＤＣＩ  ０およびＤＣＩ  １ＡをＤＣＩ  ０／１Ａとまとめて表記する。
【０００８】
また、上記ＤＣＩフォーマット以外にも、下り回線において、非連続帯域割当を行うＤＣＩ  ｆｏｒｍａｔ１（以下、ＤＣＩ  １という）および空間多重ＭＩＭＯ送信を割り当てるＤＣＩ  ｆｏｒｍａｔ２および２Ａ（以下、ＤＣＩ  ２，２Ａという）等がある。ここで、ＤＣＩ  １，２，２Ａは、端末の下り送信モード（非連続帯域割当または空間多重ＭＩＭＯ送信）に依存して使用されるフォーマットであり、端末毎に設定されるフォーマットである。一方、ＤＣＩ  ０／１Ａは、送信モードに依存せず、いずれの送信モードの端末に対しても使用できるフォーマット、つまり、全端末に対して共通に使用されるフォーマットである。また、ＤＣＩ  ０／１Ａが用いられた場合には、デフォルトの送信モードとして１アンテナ送信または送信ダイバーシチが用いられる。
【０００９】
また、端末の回路規模を低減するためにブラインド復号の回数を削減することを目的として、ブラインド復号の対象となるＣＣＥを、端末毎に限定する方法が検討されている。この方法では、端末毎に、ブラインド復号対象となるＣＣＥ領域（以下、サーチスペース（Search Space）という）を限定する。ＬＴＥでは、サーチスペースは端末毎にランダムに設定され、サーチスペースを構成するＣＣＥ数はＰＤＣＣＨのＣＣＥ連結数毎に定義される。例えば、ＣＣＥ連結数１，２，４，８それぞれに対して、サーチスペースを構成するＣＣＥ数、つまり、ブラインド復号対象となるＣＣＥは６候補（６（＝１×６）ＣＣＥ），６候補（１２（＝２×６）ＣＣＥ），２候補（８（＝４×２）ＣＣＥ），２候補（１６（＝８×２）ＣＣＥ）の合計１６候補に限定される。これにより、各端末は、自端末に割り当てられたサーチスペース内のＣＣＥに対してのみ、ブラインド復号を行えばよいため、ブラインド復号の回数を削減することができる。ここで、各端末のサーチスペースは、各端末の端末ＩＤと、ランダム化を行う関数であるハッシュ（hash）関数とを用いて設定される。この端末特有のＣＣＥ領域は、個別領域（UE specific Search Space：ＵＥ−ＳＳ）と呼ばれる。
【００１０】
一方、ＰＤＣＣＨには、複数の端末に対して同時に通知される、端末共通のデータ割当のための制御情報（例えば、下り報知信号に関する割当情報および呼び出し（Paging）用の信号に関する割当情報）（以下、共通チャネル向け制御情報と呼ぶ）も含まれる。共通チャネル向け制御情報を伝送するために、ＰＤＣＣＨには、下り報知信号を受信すべき全端末に共通するＣＣＥ領域（以下、共通領域（Common Search Space：Ｃ−ＳＳ）と呼ぶ）が用いられる。Ｃ−ＳＳには、ＣＣＥ連結数４および８それぞれに対して、ブラインド復号対象となるＣＣＥは４候補（１６（＝４×４）ＣＣＥ），２候補（１６＝（８×２）ＣＣＥ）の合計６候補が存在する。
【００１１】
また、端末は、ＵＥ−ＳＳでは、全端末に対して共通に使用されるＤＣＩフォーマット（ＤＣＩ  ０／１Ａ）、および、送信モードに依存したＤＣＩフォーマット（ＤＣＩ  １，２，２Ａ）の２種類のサイズのＤＣＩフォーマットそれぞれについてブラインド復号を行う。例えば、端末は、２種類のサイズのＰＤＣＣＨに対して、ＵＥ−ＳＳ内でそれぞれ上記１６回のブラインド復号を行う。また、端末は、Ｃ−ＳＳでは、共通チャネル割当用フォーマットであるＤＣＩ  ｆｏｒｍａｔ１Ｃ（以下、ＤＣＩ  １Ｃという）およびＤＣＩ  １Ａのそれぞれについて上記６回のブラインド復号（すなわち、合計１２回のブラインド復号）を行う。
【００１２】
ここで、共通チャネル割当に用いられるＤＣＩ  １Ａと端末個別のデータ割当に用いられるＤＣＩ  ０／１Ａとは同一サイズであり、端末ＩＤによりそれぞれが区別される。そのため、基地局は、端末のブラインド復号回数を増やすことなく、端末個別のデータ割当を行うＤＣＩ  ０／１ＡをＣ−ＳＳでも送信することができる。
【００１３】
また、ＬＴＥよりも更なる通信の高速化を実現する３ＧＰＰ  ＬＴＥ−Ａｄｖａｎｃｅｄ（以下、ＬＴＥ−Ａという）の標準化が開始された。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ−Ａ端末という）が導入される見込みである。また、ＬＴＥ−Ａシステムは、ＬＴＥ−Ａ端末のみでなく、ＬＴＥシステムに対応する端末（以下、ＬＴＥ端末という）を収容することが要求されている。
【００１４】
ＬＴＥ−Ａでは、４０ＭＨｚ以上の広帯域通信を実現するために、複数の周波数帯域を連結して通信するバンド連結（Band aggregation）方式が提案されている（例えば、非特許文献１参照）。例えば、２０ＭＨｚの幅を持つ周波数帯域が通信帯域の基本単位(以下、単位バンド（component band）という)とされている。よって、ＬＴＥ−Ａでは、例えば、２つの単位バンドを連結することにより４０ＭＨｚのシステム帯域幅を実現する。また、１つの単位バンドには、ＬＴＥ端末およびＬＴＥ−Ａ端末の双方が収容される。
【００１５】
ＬＴＥ−Ａでは、ある端末に対して複数の単位バンドにデータを割り当てる場合には、複数のＰＤＣＣＨによって割当制御情報が通知される。つまり、複数の単位バンドのリソース割当結果は、単位バンド毎に１つのＰＤＣＣＨを用いて通知される。
【００１６】
ＬＴＥ−Ａでは、さらに、上り回線の送信方法として、非連続帯域割当を用いた送信方法およびＭＩＭＯを用いた送信方法が新たに導入される。これに伴い、新たなＤＣＩフォーマット（例えば、ＤＣＩ  ｆｏｒａｍｔ０Ａ，０Ｂ（以下、ＤＣＩ  ０Ａ，０Ｂという））を定義することが検討されている（例えば、非特許文献４参照）。すなわち、ＤＣＩ  ０Ａ，０Ｂは、上り送信モードに依存するＤＣＩフォーマットである。
【先行技術文献】
【非特許文献】
【００１７】
【非特許文献１】3GPP TS 36.211 V8.7.0, “Physical Channels and Modulation (Release 8),” September 2008
【非特許文献２】3GPP TS 36.212 V8.7.0, “Multiplexing and channel coding (Release 8),” September  2008
【非特許文献３】3GPP TS 36.213 V8.7.0, “Physical layer procedures (Release 8),” September  2008
【非特許文献４】3GPP TSG RAN WG1 meeting, R1-092641, “PDCCH design for Carrier aggregation and Post Rel-8 feature,” June 2009
【発明の概要】
【発明が解決しようとする課題】
【００１８】
上述したように、ＬＴＥ−Ａにおいて、ＵＥ−ＳＳ内で下り送信モードに依存したＤＣＩフォーマット（ＤＣＩ  １，２，２Ａ）、上り送信モードに依存したＤＣＩフォーマット（ＤＣＩ  ０Ａ，０Ｂ）、および、送信モードに依らず全端末共通のＤＣＩフォーマット（ＤＣＩ  ０／１Ａ）を用いる場合、端末は、上記３種類のＤＣＩフォーマットのＰＤＣＣＨをブラインド復号（モニタ）する。例えば、上述したように、ＵＥ−ＳＳでは１種類のＤＣＩフォーマットあたり１６回のブラインド復号が必要であるため、ＵＥ−ＳＳ内でのブラインド復号回数は合計４８回（＝１６回×３種類）となる。よって、Ｃ−ＳＳ内での２種類のＤＣＩフォーマットに対するブラインド復号回数である１２回（＝６回×２種類）を加えると合計で６０回のブラインド復号が必要となる。
【００１９】
ここで、１つの端末に対して複数の単位バンドが設定される場合、各単位バンドに上記同様、Ｃ−ＳＳおよびＵＥ−ＳＳがそれぞれ設定されることが考えられる。この場合、端末のブラインド復号回数は膨大になり、端末の回路規模および消費電力が増大してしまう。例えば、１つの端末に対して５つの単位バンドが設定された場合、端末は、合計３００回（＝６０回×５）のブラインド復号が必要となる。
【００２０】
また、端末でのブラインド復号回数を低減するために、単位バンドあたりのブラインド復号回数（つまり、ＣＣＥ候補数）を複数の単位バンド間で均一に減らすことが考えられる。しかしながら、各単位バンドのＣＣＥは複数の端末間で競合して使用される。このため、割当対象の端末数が多い場合には、１つの端末あたり使用可能なＣＣＥ候補数が減少してしまうと、サーチスペース内のＣＣＥすべてが他の端末に用いられて、端末を割り当てることができなくなる確率（ＣＣＥブロック率と呼ぶ）が増加してしまう。
【００２１】
本発明の目的は、端末に複数の単位バンドが設定される場合でもＣＣＥブロック率を増加させることなく、端末のブラインド復号回数を低減することができる通信装置、制御情報受信方法および集積回路を提供することを目的とする。
【課題を解決するための手段】
【００２２】
本発明の一態様に係る基地局は、複数の単位バンドを使用して通信する無線通信端末装置および他の無線通信端末装置に対して共通のサーチスペースを前記複数の単位バンド毎に設定し、前記無線通信端末装置に対して個別のサーチスペースを前記複数の単位バンド毎に設定する設定手段と、前記無線通信端末装置宛ての制御情報を、前記共通のサーチスペース内のＣＣＥまたは前記個別のサーチスペース内のＣＣＥに割り当てる割当手段と、を具備し、前記割当手段は、前記複数の単位バンドのうち特定の単位バンドに設定された前記共通のサーチスペース内のＣＣＥまたは前記特定の単位バンドに設定された前記個別のサーチスペース内のＣＣＥにのみ前記制御情報を割り当てる、または、前記複数の単位バンドにそれぞれ設定された前記共通のサーチスペースおよび前記個別のサーチスペースのうち前記共通のサーチスペース内のＣＣＥにのみ前記制御情報を割り当てる構成を採る。
【００２３】
本発明の一態様に係る端末は、複数の単位バンドを使用して通信する無線通信端末装置であって、自装置および他の無線通信端末装置に対して前記複数の単位バンド毎に設定された共通のサーチスペース、および、自装置に対して前記複数の単位バンド毎に設定された個別のサーチスペースに割り当てられた制御情報を受信する受信手段と、自装置に設定された前記個別のサーチスペースを算出する算出手段と、前記共通のサーチスペース内のＣＣＥまたは前記個別のサーチスペース内のＣＣＥをブラインド復号することにより、自装置宛ての前記制御情報を得る復号手段と、を具備し、前記復号手段は、前記複数の単位バンドのうち特定の単位バンドに設定された前記共通のサーチスペース内のＣＣＥおよび前記特定の単位バンドに設定された前記個別のサーチスペース内のＣＣＥのみをブラインド復号する、または、前記複数の単位バンドにそれぞれ設定された前記共通のサーチスペースおよび前記個別のサーチスペースのうち前記共通のサーチスペース内のＣＣＥのみをブラインド復号する構成を採る。
【００２４】
本発明の一態様に係るＣＣＥ割当方法は、複数の単位バンドを使用して通信する無線通信端末装置および他の無線通信端末装置に対して共通のサーチスペースを前記複数の単位バンド毎に設定し、前記無線通信端末装置に対して個別のサーチスペースを前記複数の単位バンド毎に設定する設定ステップと、前記無線通信端末装置宛ての制御情報を、前記共通のサーチスペース内のＣＣＥまたは前記個別のサーチスペース内のＣＣＥに割り当てる割当ステップと、を具備し、前記割当ステップは、前記複数の単位バンドのうち特定の単位バンドに設定された前記共通のサーチスペース内のＣＣＥまたは前記特定の単位バンドに設定された前記個別のサーチスペース内のＣＣＥにのみ前記制御情報を割り当てる、または、前記複数の単位バンドにそれぞれ設定された前記共通のサーチスペースおよび前記個別のサーチスペースのうち前記共通のサーチスペース内のＣＣＥにのみ前記制御情報を割り当てるようにする。
【００２５】
本発明の一態様に係るＣＣＥブラインド復号方法は、複数の単位バンドを使用して通信する無線通信端末装置において、前記無線通信端末装置および他の無線通信端末装置に対して前記複数の単位バンド毎に設定された共通のサーチスペース、および、前記無線通信端末装置に対して前記複数の単位バンド毎に設定された個別のサーチスペースに割り当てられた制御情報を受信する受信ステップと、前記無線通信端末装置に設定された前記個別のサーチスペースを算出する算出ステップと、前記共通のサーチスペース内のＣＣＥまたは前記個別のサーチスペース内のＣＣＥをブラインド復号することにより、前記無線通信端末装置宛ての前記制御情報を得る復号ステップと、を具備し、前記復号ステップは、前記複数の単位バンドのうち特定の単位バンドに設定された前記共通のサーチスペース内のＣＣＥおよび前記特定の単位バンドに設定された前記個別のサーチスペース内のＣＣＥのみをブラインド復号する、または、前記複数の単位バンドにそれぞれ設定された前記共通のサーチスペースおよび前記個別のサーチスペースのうち前記共通のサーチスペース内のＣＣＥのみをブラインド復号するようにする。
【発明の効果】
【００２６】
本発明によれば、端末に複数の単位バンドが設定される場合でもＣＣＥブロック率を増加させることなく、端末のブラインド復号回数を低減することができる。
【図面の簡単な説明】
【００２７】
【図１】本発明の実施の形態１に係る基地局の構成を示すブロック図
【図２】本発明の実施の形態１に係るサーチスペースの設定例を示す図
【図３】本発明の実施の形態１に係る端末の構成を示すブロック図
【図４】本発明の実施の形態１に係るＣＣＥ割当処理およびブラインド復号（モニタ）処理を示す図（端末に１つの単位バンドが設定された場合）
【図５】本発明の実施の形態１に係るＣＣＥ割当処理およびブラインド復号（モニタ）処理を示す図（端末に複数の単位バンドが設定された場合）
【図６】本発明の実施の形態２に係るＣＣＥ割当処理およびブラインド復号（モニタ）処理を示す図
【図７】本発明の実施の形態３に係るＣＣＥ割当処理およびブラインド復号（モニタ）処理を示す図
【図８】本発明の実施の形態４に係るＣＣＥ割当処理およびブラインド復号（モニタ）処理を示す図
【発明を実施するための形態】
【００２８】
以下、本発明の実施の形態について図面を参照して詳細に説明する。なお、実施の形態において、同一の構成要素には同一の符号を付し、その説明は重複するので省略する。
【００２９】
また、以下の説明では、共通チャネル割当用のＤＣＩフォーマットとしてＤＣＩ  １Ｃ，１Ａを使用し、全端末で共通に使用される（送信モードに依存せず、いずれの送信モードの端末に対しても使用できる）、デフォルト送信モードであるデータ割当用のＤＣＩフォーマットとしてＤＣＩ  ０／１Ａを使用し、上り送信モードに依存するデータ割当用のＤＣＩフォーマットとしてＤＣＩ  ０Ａ，０Ｂを使用し、下り送信モードに依存するデータ割当用のＤＣＩフォーマットとしてＤＣＩ  １，２，２Ａを使用する。
【００３０】
（実施の形態１）
図１は、本実施の形態に係る基地局１００の構成を示すブロック図である。
【００３１】
図１に示す基地局１００において、単位バンド設定部１０１は、例えば、所要伝送レートまたはデータ伝送量に従って、端末毎に上り回線および下り回線にそれぞれ使用する１つまたは複数の単位バンドを設定（configure）する。ここで、単位バンド設定部１０１は、ＬＴＥ端末に対して１つの単位バンドを設定し、ＬＴＥ−Ａ端末に対して１つまたは複数の単位バンドを設定する。また、単位バンド設定部１０１は、ＬＴＥ−Ａ端末に対して設定した単位バンドのいずれか１つを、そのＬＴＥ−Ａ端末の主単位バンドとして設定する。また、単位バンド設定部１０１は、端末毎の伝搬路状況等に基づいて、各端末に設定された単位バンド毎の上り回線および下り回線それぞれの送信モード（例えば、空間多重ＭＩＭＯ送信、ビームフォーミング送信、非連続帯域割当等）を設定する。そして、単位バンド設定部１０１は、各端末に設定した単位バンド、主単位バンドおよび送信モードの情報を含む設定情報を制御部１０２、サーチスペース設定部１０３、ＰＤＣＣＨ生成部１０４および符号化・変調部１０７に出力する。なお、設定情報に含まれるこれらの情報は、上位レイヤの制御情報（ＲＲＣ制御情報）として、符号化・変調部１０７を介して各端末へ通知される。また、主単位バンドとしては、例えば、長時間平均の伝搬路状況の良好な単位バンド（例えば、伝搬路減衰（パスロス）の小さい単位バンド）、ＳＩＲがより高い単位バンド、送信電力または受信電力がより高い単位バンド、他セル干渉がより小さい単位バンドが選択される。
【００３２】
制御部１０２は、単位バンド設定部１０１から入力される設定情報に示される単位バンドの数に応じて割当制御情報を生成する。例えば、制御部１０２は、１つの単位バンドのみが設定されている端末に対して、１つのトランスポートブロックに対するＭＣＳ情報、リソース（ＲＢ）割当情報、および、ＨＡＲＱ情報を含む割当制御情報を生成する。一方、制御部１０２は、複数の単位バンドが設定されている端末に対しては、複数の単位バンド毎に上記割当制御情報を生成する。ここで、制御部１０２は、リソース割当情報として、端末の上り回線データを割り当てる上りリソース（例えば、ＰＵＳＣＨ（Physical Uplink Shared Channel））を示す上りリソース割当情報、および、端末宛ての下り回線データを割り当てる下りリソース（例えば、ＰＤＳＣＨ（Physical Downlink Shared Channel））を示す下りリソース割当情報を生成する。
【００３３】
ここで、制御部１０２は、単位バンド設定部１０１から入力される設定情報に基づいて、端末の上り回線の送信モードに応じた割当制御情報（ＤＣＩ  ０Ａ，０Ｂ）、下り回線の送信モードに応じた割当制御情報（ＤＣＩ  １，２または２Ａ）、または、全端末共通の割当制御情報（ＤＣＩ  ０／１Ａ）を端末毎および単位バンド毎に生成する。
【００３４】
例えば、通常のデータ送信時には、制御部１０２は、スループット向上のために、各端末に設定した送信モードでデータ伝送が行えるように、各端末の各単位バンドの送信モードに応じた割当制御情報（ＤＣＩ  １，２，２Ａ，０Ａ，０Ｂ）を生成する。しかし、急激な伝搬路状況の変化または隣接セルからの干渉の変化等によっては、各端末に設定した送信モードでは受信誤りが頻発する状況も起こり得る。この場合には、制御部１０２は、全端末共通の割当制御情報（ＤＣＩ  ０／１Ａ）、すなわち、デフォルト送信モードの割当制御情報を生成することで、よりロバストな送信が可能となる。
【００３５】
また、伝搬路状況が悪化した場合に送信モードの変更を通知するための上位レイヤの制御情報（RRC signaling）の送信時にも、制御部１０２は、全端末共通の割当制御情報（ＤＣＩ  ０／１Ａ）を生成する。ここで、全端末共通のＤＣＩ  ０／１Ａの情報ビット数は、送信モードに依存するＤＣＩ  １，２，２Ａ，０Ａ，０Ｂの情報ビット数よりも少ない。このため、同じＣＣＥ数が設定された場合、ＤＣＩ  ０／１Ａの方が、ＤＣＩ  １，２，２Ａ，０Ａ，０Ｂよりも低い符号化率で送信することができる。よって、伝搬路状況が悪化した場合に制御部１０２がＤＣＩ  ０／１Ａを用いることにより、伝搬路状況が劣悪な端末でも良好な誤り率でデータを受信することができる。
【００３６】
また、制御部１０２は、端末個別のデータ割当向けの割当制御情報の他に、報知情報およびＰａｇｉｎｇ情報等の複数の端末共通のデータ割当のための、共通チャネル向け割当制御情報（例えば、ＤＣＩ  １Ｃ，１Ａ）を生成する。
【００３７】
そして、制御部１０２は、生成した端末個別のデータ割当向けの割当制御情報のうち、ＭＣＳ情報およびＨＡＲＱ情報をＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。また、制御部１０２は、生成した共通チャネル向け割当制御情報をＰＤＣＣＨ生成部１０４に出力する。
【００３８】
サーチスペース設定部１０３は、全端末に対して共通のサーチスペースである共通サーチスペース（Ｃ−ＳＳ）および各端末に対して個別のサーチスペースである個別サーチスペース（ＵＥ−ＳＳ）を設定する。具体的には、サーチスペース設定部１０３は、各単位バンドにおいて予め設定したＣＣＥ（例えば、先頭ＣＣＥから１６ＣＣＥ分のＣＣＥ）をＣ−ＳＳとして設定する。ここで、１６ＣＣＥで構成されるＣ−ＳＳ内の割当候補としては、ＣＣＥ数が４個のＰＤＣＣＨに対して４候補、ＣＣＥ数が８個のＰＤＣＣＨに対して２候補の合計６候補が存在する。また、サーチスペース設定部１０３は、単位バンド設定部１０１から入力される設定情報に示される、各端末に設定した単位バンドの情報に基づいて、各端末に設定された単位バンド毎にＵＥ−ＳＳを設定する。例えば、サーチスペース設定部１０３は、ある端末に設定された単位バンドにおけるＵＥ−ＳＳを、その端末の端末ＩＤおよびランダム化を行うハッシュ（hash）関数を用いて算出されるＣＣＥ番号と、サーチスペースを構成するＣＣＥ数（Ｌ）とから算出する。例えば、Ｃ−ＳＳおよびある端末に対するＵＥ−ＳＳの設定例を図２に示す。図２では、サーチスペース設定部１０３は、Ｃ−ＳＳとして、ＣＣＥ連結数４に対して４候補（ＣＣＥ０〜３，ＣＣＥ４〜７，ＣＣＥ８〜１１，ＣＣＥ１２〜１５）およびＣＣＥ連結数８に対して２候補（ＣＣＥ０〜７，ＣＣＥ８〜１５）の合計６候補を設定する。また、サーチスペース設定部１０３は、図２に示すように、ＵＥ−ＳＳとして、ＣＣＥ連結数１に対して６候補（ＣＣＥ１６〜２１）、ＣＣＥ連結数２に対して６候補（ＣＣＥ６〜１７）、ＣＣＥ連結数４に対して２候補（ＣＣＥ２０〜２３，ＣＣＥ２４〜２７）およびＣＣＥ連結数８に対して２候補（ＣＣＥ１６〜２３，ＣＣＥ２４〜３１）の合計１６候補を設定する。なお、サーチスペース設定部１０３は、複数の単位バンドが設定されたＬＴＥ−Ａ端末に対しては、設定された単位バンド毎にＵＥ−ＳＳを設定する。そして、サーチスペース設定部１０３は、設定した各端末のＵＥ−ＳＳを示すサーチスペース情報を割当部１０６に出力する。
【００３９】
ＰＤＣＣＨ生成部１０４は、制御部１０２から入力される、端末毎の上りリソース割当情報、下りリソース割当情報、ＭＣＳ情報およびＨＡＲＱ情報等の端末個別のデータ割当向けの割当制御情報を含むＰＤＣＣＨ信号、または、端末共通の報知情報およびＰａｇｉｎｇ情報等の共通チャネル向け割当制御情報を含むＰＤＣＣＨ信号を生成する。このとき、ＰＤＣＣＨ生成部１０４は、上りリソース割当情報および下りリソース割当情報にＣＲＣビットを付加し、さらにＣＲＣビットを端末ＩＤでマスキング（または、スクランブリング）してＰＤＣＣＨ信号を生成する。そして、ＰＤＣＣＨ生成部１０４は、マスキング後のＰＤＣＣＨ信号を、符号化・変調部１０５に出力する。
【００４０】
符号化・変調部１０５は、ＰＤＣＣＨ生成部１０４から入力されるＰＤＣＣＨ信号をチャネル符号化後に変調して、変調後のＰＤＣＣＨ信号を割当部１０６に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（チャネル品質が悪い端末ほど）、より低い符号化率を設定する。
【００４１】
割当部１０６は、符号化・変調部１０５から入力される、共通チャネル向け割当制御情報を含むＰＤＣＣＨ信号、および、各端末に対する端末個別のデータ割当向けの割当制御情報を含むＰＤＣＣＨ信号を、サーチスペース設定部１０３から入力されるサーチスペース情報に示されるＣ−ＳＳ内のＣＣＥまたは端末毎のＵＥ−ＳＳ内のＣＣＥにそれぞれ割り当てる。ここで、１つのＰＤＣＣＨ信号のＣＣＥ連結数は、符号化率およびＰＤＣＣＨ信号のビット数（割当制御情報の情報量）によって異なる。例えば、セル境界付近に位置する端末宛てのＰＤＣＣＨ信号の符号化率は低く設定され、より多くの物理リソースが必要であるため、割当部１０６は、セル境界付近に位置する端末宛てのＰＤＣＣＨ信号を、より多くのＣＣＥに割り当てる。
【００４２】
例えば、割当部１０６は、Ｃ−ＳＳ（例えば、図２）内の割当候補の中から１つの割当候補を選択する。そして、割当部１０６は、共通チャネル向け割当制御情報を含むＰＤＣＣＨ信号を、選択した候補内のＣＣＥに割り当てる。
【００４３】
また、１つの単位バンドのみが設定されている端末に対して、割当部１０６は、その端末宛てのＰＤＣＣＨ信号に含まれる端末個別のデータ割当向けの割当制御情報が送信モード依存のＤＣＩフォーマット（例えば、ＤＣＩ  １，２，２Ａ，０Ａ，０Ｂ）の場合には、設定された単位バンド内でその端末に設定されたＵＥ−ＳＳ内のＣＣＥにＰＤＣＣＨ信号を割り当てる。一方、割当部１０６は、その端末宛てのＰＤＣＣＨ信号に含まれる端末個別のデータ割当向けの割当制御情報が全端末共通のフォーマット（例えば、ＤＣＩ  ０／１Ａ）の場合には、設定された単位バンドのＣ−ＳＳ内のＣＣＥまたはその端末に設定されたＵＥ−ＳＳ内のＣＣＥにＰＤＣＣＨ信号を割り当てる。
【００４４】
また、複数の単位バンドが設定されている端末に対して、割当部１０６は、その端末宛てのＰＤＣＣＨ信号に含まれる端末個別のデータ割当向けの割当制御情報が送信モード依存のＤＣＩフォーマット（例えば、ＤＣＩ  １，２，２Ａ，０Ａ，０Ｂ）の場合には、各単位バンドにおいて、その端末に設定されたＵＥ−ＳＳ内のＣＣＥにＰＤＣＣＨ信号を割り当てる。このとき、割当部１０６は、割当制御情報を、その割当制御情報に示されるリソース割当対象のデータが送信される単位バンド内のＣＣＥに割り当てる。一方、割当部１０６は、その端末宛てのＰＤＣＣＨ信号に含まれる端末個別のデータ割当向けの割当制御情報が全端末共通のフォーマット（例えば、ＤＣＩ  ０／１Ａ）の場合には、その端末に設定された複数の単位バンドのうち主単位バンド（特定の単位バンド）に設定されたＣ−ＳＳ内のＣＣＥまたは主単位バンド（特定の単位バンド）でその端末に設定されたＵＥ−ＳＳ内のＣＣＥにのみＰＤＣＣＨ信号を割り当てる。
【００４５】
そして、割当部１０６は、ＣＣＥに割り当てたＰＤＣＣＨ信号を多重部１０９に出力する。また、割当部１０６は、ＰＤＣＣＨ信号が割り当てられたＣＣＥを示す情報をＡＣＫ／ＮＡＣＫ受信部１２０に出力する。なお、割当部１０６におけるＣＣＥ割当処理の詳細については後述する。
【００４６】
符号化・変調部１０７は、単位バンド設定部１０１から入力される設定情報をチャネル符号化後に変調して、変調後の設定情報を多重部１０９に出力する。
【００４７】
符号化・変調部１０８は、入力される送信データ（下り回線データ）をチャネル符号化後に変調して、変調後の送信データ信号を多重部１０９に出力する。
【００４８】
多重部１０９は、各単位バンドにおいて、割当部１０６から入力されるＰＤＣＣＨ信号、符号化・変調部１０７から入力される設定情報および符号化・変調部１０８から入力されるデータ信号（つまり、ＰＤＳＣＨ信号）を多重する。ここで、多重部１０９は、制御部１０２から入力される下りリソース割当情報に基づいて、ＰＤＣＣＨ信号およびデータ信号（ＰＤＳＣＨ信号）を各下り単位バンドにマッピングする。なお、多重部１０９は、設定情報をＰＤＳＣＨにマッピングしてもよい。そして、多重部１０９は、多重信号をＩＦＦＴ（Inverse Fast Fourier Transform）部１１０に出力する。
【００４９】
ＩＦＦＴ部１１０は、多重部１０９から入力される多重信号を時間波形に変換し、ＣＰ（Cyclic Prefix）付加部１１１は、この時間波形にＣＰを付加することによりＯＦＤＭ信号を得る。
【００５０】
送信ＲＦ部１１２は、ＣＰ付加部１１１から入力されるＯＦＤＭ信号に対して送信無線処理（アップコンバート、ディジタルアナログ（Ｄ／Ａ）変換など）を施し、アンテナ１１３を介して送信する。
【００５１】
一方、受信ＲＦ部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００５２】
ＣＰ除去部１１５は、受信信号からＣＰを除去し、ＦＦＴ（Fast Fourier Transform）部１１６は、ＣＰ除去後の受信信号を周波数領域信号に変換する。
【００５３】
抽出部１１７は、制御部１０２から入力される上りリソース割当情報に基づいて、ＦＦＴ部１１６から入力される周波数領域信号から上り回線データを抽出し、ＩＤＦＴ（Inverse Discrete Fourier Transform）部１１８は抽出信号を時間領域信号に変換し、その時間領域信号をデータ受信部１１９およびＡＣＫ／ＮＡＣＫ受信部１２０に出力する。
【００５４】
データ受信部１１９は、ＩＤＦＴ部１１８から入力される時間領域信号を復号する。そして、データ受信部１１９は、復号後の上り回線データを受信データとして出力する。
【００５５】
ＡＣＫ／ＮＡＣＫ受信部１２０は、ＩＤＦＴ部１１８から入力される時間領域信号のうち、下り回線データ（ＰＤＳＣＨ信号）に対する各端末からのＡＣＫ／ＮＡＣＫ信号を、割当部１０６から入力される情報に基づいて、その下り回線データの割当に使用されたＣＣＥに対応付けられた上り回線制御チャネル（例えば、ＰＵＣＣＨ（Physical Uplink Control Channel））から抽出し、抽出したＡＣＫ／ＮＡＣＫ信号のＡＣＫ／ＮＡＣＫ判定を行う。ここでは、端末がＡＣＫ／ＮＡＣＫ信号の送信に用いるＰＵＣＣＨを基地局から各端末へ通知するためのシグナリングを不要にして下り回線の通信リソースを効率良く使用するために、ＣＣＥとＰＵＣＣＨとを対応付けられている。よって、各端末は、この対応付けに従って自端末への制御情報（ＰＤＣＣＨ信号）がマッピングされているＣＣＥから、自端末からのＡＣＫ／ＮＡＣＫ信号の送信に用いるＰＵＣＣＨを判定している。ここで、基地局１００が複数の単位バンドの下り回線データ（ＰＤＳＣＨ信号）の下りリソース割当情報を含むＰＤＣＣＨ信号を、複数の単位バンドの下り単位バンドのＣＣＥに割り当てた場合、ＡＣＫ／ＮＡＣＫ受信部１２０は、それぞれのＣＣＥのＣＣＥ番号に対応付けられたＰＵＣＣＨから、複数のＡＣＫ／ＮＡＣＫ信号を抽出する。
【００５６】
図３は、本実施の形態に係る端末２００の構成を示すブロック図である。端末２００は、ＬＴＥ−Ａ端末であり、複数の下り単位バンドを使用してデータ信号（下り回線データ）を受信し、そのデータ信号に対するＡＣＫ／ＮＡＣＫ信号を１つの上り単位バンドのＰＵＣＣＨを用いて基地局１００へ送信する。
【００５７】
図３に示す端末２００において、受信ＲＦ部２０２は、受信帯域を変更可能に構成されており、設定情報受信部２０６から入力される帯域情報に基づいて、受信帯域を変更する。そして、受信ＲＦ部２０２は、アンテナ２０１を介して受信帯域で受信した受信無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＰＤＣＣＨ信号、および、設定情報を含む上位レイヤの制御情報が含まれる。また、ＰＤＣＣＨ信号（割当制御情報）は、端末２００および他の端末に対して単位バンド毎に設定された共通のサーチスペース（Ｃ−ＳＳ）、または、端末２００に対して単位バンド毎に設定された個別のサーチスペース（ＵＥ−ＳＳ）に割り当てられている。
【００５８】
ＣＰ除去部２０３は、受信信号からＣＰを除去し、ＦＦＴ部２０４はＣＰ除去後の受信信号を周波数領域信号に変換する。この周波数領域信号は、分離部２０５に出力される。
【００５９】
分離部２０５は、ＦＦＴ部２０４から入力される信号を、設定情報を含む上位レイヤの制御信号（例えば、RRC signaling等）とＰＤＣＣＨ信号とデータ信号（つまり、ＰＤＳＣＨ信号）とに分離する。そして、分離部２０５は、制御信号を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。
【００６０】
設定情報受信部２０６は、分離部２０５から入力される制御信号から、自端末に設定された上り単位バンドおよび下り単位バンドを示す情報を読み取り、読み取った情報を帯域情報としてＰＤＣＣＨ受信部２０７、受信ＲＦ部２０２および送信ＲＦ部２１５に出力する。また、設定情報受信部２０６は、分離部２０５から入力される制御信号から、自端末に設定された端末ＩＤを示す情報を読み取り、読み取った情報を端末ＩＤ情報としてＰＤＣＣＨ受信部２０７に出力する。また、設定情報受信部２０６は、自端末に設定された主単位バンドを示す情報を読み取り、読み取った情報を主バンド情報としてＰＤＣＣＨ受信部２０７に出力する。また、設定情報受信部２０６は、自端末に設定された送信モードを示す情報を読み取り、読み取った情報を送信モード情報としてＰＤＣＣＨ受信部２０７に出力する。
【００６１】
ＰＤＣＣＨ受信部２０７は、分離部２０５から入力されるＰＤＣＣＨ信号をブラインド復号（モニタ）して、自端末宛てのＰＤＣＣＨ信号を得る。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，２，２Ａ，０Ａ，０Ｂ）および全端末共通の共通チャネル割当向けのＤＣＩフォーマット（例えば、ＤＣＩ  １Ｃ，１Ａ）のそれぞれに対して、ブラインド復号することにより、各ＤＣＩフォーマットの割当制御情報を含むＰＤＣＣＨ信号を得る。
【００６２】
具体的には、まず、ＰＤＣＣＨ受信部２０７は、設定情報受信部２０６から入力される主バンド情報に示される主単位バンドのＣ−ＳＳに対して、共通チャネル割当向けのＤＣＩフォーマット（ＤＣＩ  １Ｃ，１Ａ）および全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各ＣＣＥ連結数のＣＣＥ候補について、共通チャネル割当向けのＤＣＩフォーマットのサイズ、および、全端末共通のデータ割当向けのＤＣＩフォーマットのサイズを対象として復調および復号する。そして、ＰＤＣＣＨ受信部２０７は、復号後のＰＤＣＣＨ信号に対して、複数の端末で共通のＩＤでＣＲＣビットをデマスキングすることによりＣＲＣ＝ＯＫ（誤り無し）となったＰＤＣＣＨ信号を、共通チャネル向けの割当制御情報が含まれるＰＤＣＣＨ信号であると判定する。また、ＰＤＣＣＨ受信部２０７は、復号後のＰＤＣＣＨ信号に対して、端末ＩＤ情報に示される自端末の端末ＩＤでＣＲＣビットをデマスキングすることによりＣＲＣ＝ＯＫ（誤り無し）となったＰＤＣＣＨ信号を、全端末共通のデータ割当向けの割当制御情報が含まれるＰＤＣＣＨ信号であると判定する。つまり、ＰＤＣＣＨ受信部２０７は、Ｃ−ＳＳでは、ＤＣＩ  ０／１Ａの割当制御情報が共通チャネル向けであるか、データ割当向けであるかを、端末ＩＤ（複数の端末で共通のＩＤ、または、端末２００の端末ＩＤ）によって区別する。
【００６３】
また、ＰＤＣＣＨ受信部２０７は、設定情報受信部２０６から入力される帯域情報に示される下り単位バンドが１つの場合、設定情報受信部２０６から入力される端末ＩＤ情報に示される自端末の端末ＩＤを用いて、自端末のＵＥ−ＳＳを各ＣＣＥ連結数に対してそれぞれ算出する。そして、ＰＤＣＣＨ受信部２０７は、算出したＵＥ−ＳＳ内の各ＣＣＥ連結数のＣＣＥ候補について、自端末に設定された送信モード（送信モード情報に示される送信モード）に対応したＤＣＩフォーマットのサイズおよび全端末共通のＤＣＩフォーマット（ＤＣＩ  ０／１Ａ）のサイズを対象として復調および復号する。そして、ＰＤＣＣＨ受信部２０７は、復号後のＰＤＣＣＨ信号に対して、自端末の端末ＩＤでＣＲＣビットをデマスキングすることによりＣＲＣ＝ＯＫ（誤り無し）となったＰＤＣＣＨ信号を、自端末宛てのＰＤＣＣＨ信号であると判定する。
【００６４】
一方、ＰＤＣＣＨ受信部２０７は、設定情報受信部２０６から入力される帯域情報に示される下り単位バンドが複数の場合、設定された各単位バンドにおいて、設定情報受信部２０６から入力される端末ＩＤ情報に示される自端末の端末ＩＤを用いて自端末のＵＥ−ＳＳを各ＣＣＥ連結数に対してそれぞれ算出する。そして、ＰＤＣＣＨ受信部２０７は、主バンド情報に示される主単位バンドでは、算出したＵＥ−ＳＳ内の各ＣＣＥ連結数のＣＣＥ候補について、自端末に設定された送信モードに対応したＤＣＩフォーマットのサイズおよび全端末共通のＤＣＩフォーマット（ＤＣＩ  ０／１Ａ）のサイズを対象として復調および復号する。また、ＰＤＣＣＨ受信部２０７は、自端末に設定された複数の単位バンドのうち主単位バンド以外の単位バンドでは、算出したＵＥ−ＳＳ内の各ＣＣＥ連結数のＣＣＥ候補について、その端末に設定された送信モードに対応したＤＣＩフォーマットのサイズのみを対象として復調および復号する。
【００６５】
つまり、ＰＤＣＣＨ受信部２０７は、自端末に設定された複数の単位バンドのうち主単位バンド（特定の単位バンド）に設定されたＣ−ＳＳ内のＣＣＥおよび主単位バンド（特定の単位バンド）で自端末に設定されたＵＥ−ＳＳ内のＣＣＥのみをブラインド復号する。そして、ＰＤＣＣＨ受信部２０７は、復号後のＰＤＣＣＨ信号に対して、自端末の端末ＩＤでＣＲＣビットをデマスキングすることによりＣＲＣ＝ＯＫ（誤り無し）となったＰＤＣＣＨ信号を、自端末宛てのＰＤＣＣＨ信号であると判定する。
【００６６】
そして、ＰＤＣＣＨ受信部２０７は、自端末宛てのＰＤＣＣＨ信号に含まれる下りリソース割当情報をＰＤＳＣＨ受信部２０８に出力し、上りリソース割当情報をマッピング部２１２に出力する。また、ＰＤＣＣＨ受信部２０７は、自端末宛てのＰＤＣＣＨ信号が検出されたＣＣＥ（ＣＲＣ＝ＯＫとなるＣＣＥ）のＣＣＥ番号（ＣＣＥ連結数が複数の場合は先頭のＣＣＥのＣＣＥ番号）をマッピング部２１２に出力する。なお、ＰＤＣＣＨ受信部２０７におけるブラインド復号（モニタ）処理の詳細については後述する。
【００６７】
ＰＤＳＣＨ受信部２０８は、ＰＤＣＣＨ受信部２０７から入力される下りリソース割当情報に基づいて、分離部２０５から入力されるＰＤＳＣＨ信号から受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合にはＡＣＫ／ＮＡＣＫ信号としてＮＡＣＫ信号を生成し、受信データに誤りが無い場合にはＡＣＫ／ＮＡＣＫ信号としてＡＣＫ信号を生成し、ＡＣＫ／ＮＡＣＫ信号を変調部２０９に出力する。
【００６８】
変調部２０９は、ＰＤＳＣＨ受信部２０８から入力されるＡＣＫ／ＮＡＣＫ信号を変調し、変調後のＡＣＫ／ＮＡＣＫ信号をＤＦＴ（Discrete Fourier transform）部２１１に出力する。
【００６９】
変調部２１０は、送信データ（上り回線データ）を変調し、変調後のデータ信号をＤＦＴ部２１１に出力する。
【００７０】
ＤＦＴ部２１１は、変調部２０９から入力されるＡＣＫ／ＮＡＣＫ信号および変調部２１０から入力されるデータ信号を周波数領域に変換し、得られる複数の周波数成分をマッピング部２１２に出力する。
【００７１】
マッピング部２１２は、ＰＤＣＣＨ受信部２０７から入力される上りリソース割当情報に従って、ＤＦＴ部２１１から入力される複数の周波数成分のうち、データ信号に相当する周波数成分を、上り単位バンドに配置されたＰＵＳＣＨにマッピングする。また、マッピング部２１２は、ＰＤＣＣＨ受信部２０７から入力されるＣＣＥ番号に従って、ＤＦＴ部２１１から入力される複数の周波数成分のうち、ＡＣＫ／ＮＡＣＫ信号に相当する周波数成分またはコードリソースを、上り単位バンドに配置されたＰＵＣＣＨにマッピングする。
【００７２】
なお、変調部２０９、変調部２１０、ＤＦＴ部２１１およびマッピング部２１２は単位バンド毎に設けられてもよい。
【００７３】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００７４】
送信ＲＦ部２１５は、送信帯域を変更可能に構成されており、設定情報受信部２０６から入力される帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施してアンテナ２０１を介して送信する。
【００７５】
次に、基地局１００の割当部１０６におけるＰＤＣＣＨ信号割当処理、および、端末２００のＰＤＣＣＨ受信部２０７におけるブラインド復号（モニタ）処理の詳細について説明する。
【００７６】
以下の説明では、基地局１００の単位バンド設定部１０１（図１）は、端末２００（ＬＴＥ−Ａ端末）に対して、図４では１つの下り単位バンドを設定し、図５では複数の下り単位バンド（単位バンド１，２，…）を設定する。また、単位バンド設定部１０１は、図５では、単位バンド１を端末２００の主単位バンドとして設定する。
【００７７】
また、以下の説明では、下り単位バンドに配置されるＰＤＣＣＨは、図４および図５に示すように、複数のＣＣＥで構成される。また、図４および図５では、基地局１００は、各単位バンドに設定するＣ−ＳＳを構成するＣＣＥ数を４個とし、端末２００に設定する各単位バンドのＵＥ−ＳＳを構成するＣＣＥ数を６個とする。すなわち、基地局１００のサーチスペース設定部１０３は、図４および図５に示すように、各単位バンドに４個のＣＣＥで構成されるＣ−ＳＳを設定し、各単位バンドに６個のＣＣＥで構成されるＵＥ−ＳＳを設定する。また、端末２００は、図４および図５に示すように、基地局１００から通知される情報に従ってＣ−ＳＳを予め設定するとともに、図５に示す自端末のＵＥ−ＳＳを自端末の端末ＩＤに基づいて算出する。
【００７８】
まず、端末２００に設定された単位バンドが１つの場合（図４）について説明する。
【００７９】
この場合、基地局１００の割当部１０６は、共通チャネル向け割当制御情報（ＤＣＩ  １Ｃ，１Ａ）を含むＰＤＣＣＨ信号を、図４に示すＣ−ＳＳ内のＣＣＥに割り当てる。または、割当部１０６は、全端末共通のデータ割当向け割当制御情報（ＤＣＩ  ０／１Ａ）を含むＰＤＣＣＨ信号を、図４に示すＣ−ＳＳ内のＣＣＥまたはＵＥ−ＳＳ内のＣＣＥに割り当てる。または、割当部１０６は、端末２００に設定された送信モードに依存する割当制御情報（上り回線（ＤＣＩ  ０Ａ，０Ｂ）、下り回線（ＤＣＩ  １，２，２Ａ））を、図４に示すＵＥ−ＳＳ内のＣＣＥに割り当てる。
【００８０】
一方、端末２００のＰＤＣＣＨ受信部２０７は、図４に示すＣ−ＳＳに対して、共通チャネル向け割当制御情報（ＤＣＩ  １Ｃ，１Ａ）を含むＰＤＣＣＨ信号および全端末共通のデータ割当向け割当制御情報（ＤＣＩ  ０／１Ａ）を含むＰＤＣＣＨ信号をそれぞれブラインド復号する。また、ＰＤＣＣＨ受信部２０７は、図４に示すＵＥ−ＳＳに対して、送信モードに依存する割当制御情報（上り回線（ＤＣＩ  ０Ａ，０Ｂのいずれかが設定された割当制御情報）、下り回線（ＤＣＩ  １，２，２Ａのいずれかが設定された割当制御情報））を含むＰＤＣＣＨ信号および全端末共通のデータ割当向け割当制御情報（ＤＣＩ  ０／１Ａ）を含むＰＤＣＣＨ信号をそれぞれブラインド復号する。
【００８１】
すなわち、端末２００は、図４に示す単位バンドにおいて、Ｃ−ＳＳでは２種類のＤＣＩフォーマット（ＤＣＩ  １ＣとＤＣＩ  ０／１Ａ）に対するブラインド復号を行い、ＵＥ−ＳＳでは３種類のＤＣＩフォーマット（上り送信モード依存のＤＣＩ（ＤＣＩ  ０Ａ，０ＢのいずれかのＤＣＩ）と下り送信モード依存のＤＣＩ（ＤＣＩ  １，２，２ＡのいずれかのＤＣＩ）とＤＣＩ  ０／１Ａ））に対するブラインド復号を行う。例えば、図２に示すようにＣ−ＳＳでは各ＤＣＩフォーマットのそれぞれについて６回のブラインド復号が行われ、ＵＥ−ＳＳでは各ＤＣＩフォーマットのそれぞれについて１６回のブラインド復号が行われる場合について説明する。この場合、端末２００のＰＤＣＣＨ受信部２０７は、図４に示す単位バンドにおいて合計６０（＝（６×２）＋（１６×３））回のブラインド復号を行う。
【００８２】
次に、端末２００に設定された単位バンドが複数の場合（図５）について説明する。
【００８３】
この場合、基地局１００の割当部１０６は、共通チャネル向け割当制御情報（ＤＣＩ  １Ｃ，１Ａ）を含むＰＤＣＣＨ信号を、図５に示す単位バンド１（主単位バンド）のＣ−ＳＳ内のＣＣＥに割り当てる。または、割当部１０６は、全端末共通のデータ割当向け割当制御情報（ＤＣＩ  ０／１Ａ）を含むＰＤＣＣＨ信号を、図５に示す単位バンド１（主単位バンド）のＣ−ＳＳ内のＣＣＥまたは単位バンド１（主単位バンド）のＵＥ−ＳＳ内のＣＣＥに割り当てる。また、割当部１０６は、端末２００に設定された送信モードに依存する割当制御情報（上り回線（ＤＣＩ  ０Ａ，０Ｂ）、下り回線（ＤＣＩ  １，２，２Ａ））を、図５に示す複数の単位バンド（単位バンド１，２，…）の各ＵＥ−ＳＳ内のＣＣＥに割り当てる。例えば、割当部１０６は、図５に示す単位バンドｎで送信されるデータに対するリソース割当情報を示す割当制御情報を含むＰＤＣＣＨ信号を、単位バンドｎのＵＥ−ＳＳ内のＣＣＥに割り当てる。
【００８４】
つまり、端末２００に複数の単位バンドが設定されている場合、基地局１００は、全端末共通のデータ割当向け割当制御情報（ＤＣＩ  ０／１Ａ）を含むＰＤＣＣＨ信号を、端末２００の主単位バンド（図５では単位バンド１）内のＣ−ＳＳまたはＵＥ−ＳＳのみで送信する。また、基地局１００は、共通チャネル向け割当制御情報（ＤＣＩ  １Ｃ，１Ａ）を含むＰＤＣＣＨ信号を、端末２００の主単位バンド（図５では単位バンド１）内のＣ−ＳＳのみで送信する。換言すると、基地局１００は、端末２００の主単位バンド（図５では単位バンド１）以外の単位バンド（図５では単位バンド２以降の単位バンド）では、送信モードに依存する割当制御情報（ＤＣＩ  １，２，２Ａ，０Ａ，０Ｂ）のみを送信する。
【００８５】
一方、端末２００のＰＤＣＣＨ受信部２０７は、図５に示す単位バンド１（主単位バンド）のＣ−ＳＳに対して、共通チャネル向け割当制御情報（ＤＣＩ  １Ｃ，１Ａ）を含むＰＤＣＣＨ信号および全端末共通のデータ割当向け割当制御情報（ＤＣＩ  ０／１Ａ）を含むＰＤＣＣＨ信号をそれぞれブラインド復号する。また、ＰＤＣＣＨ受信部２０７は、図５に示す単位バンド１（主単位バンド）のＵＥ−ＳＳに対して、送信モードに依存する割当制御情報（上り回線（ＤＣＩ  ０Ａ，０Ｂ）、下り回線（ＤＣＩ  １，２，２Ａ））を含むＰＤＣＣＨ信号および全端末共通のデータ割当向け割当制御情報（ＤＣＩ  ０／１Ａ）を含むＰＤＣＣＨ信号をそれぞれブラインド復号する。また、ＰＤＣＣＨ受信部２０７は、図５に示す単位バンド２以降の単位バンド（つまり、端末２００に設定された複数の単位バンドのうち主単位バンド以外の単位バンド）のＵＥ−ＳＳに対して、送信モードに依存する割当制御情報（上り回線（ＤＣＩ  ０Ａ，０Ｂ）、下り回線（ＤＣＩ  １，２，２Ａ））を含むＰＤＣＣＨ信号をそれぞれブラインド復号する。
【００８６】
つまり、ＰＤＣＣＨ受信部２０７は、図５に示す単位バンド２以降の単位バンド（主単位バンド以外の単位バンド）では、共通チャネル向け割当制御情報（ＤＣＩ  １Ｃ，１Ａ）を含むＰＤＣＣＨ信号および全端末共通のデータ割当向け割当制御情報（ＤＣＩ  ０／１Ａ）を含むＰＤＣＣＨ信号をブラインド復号（モニタ）しない。すなわち、ＰＤＣＣＨ受信部２０７は、図５に示す単位バンド１（主単位バンド）ではＣ−ＳＳおよびＵＥ−ＳＳの両方でブラインド復号（モニタ）を行うのに対し、単位バンド２以降の単位バンド（単位バンド１以外の単位バンド）ではＣ−ＳＳでブラインド復号（モニタ）せずに、ＵＥ−ＳＳのみでブラインド復号（モニタ）する。
【００８７】
具体的には、端末２００では、図５に示す単位バンド１（主単位バンド）のＣ−ＳＳにおけるブラインド復号（モニタ）対象のＤＣＩフォーマットは、２種類のＤＣＩフォーマット（ＤＣＩ  １ＣとＤＣＩ  ０／１Ａ）である。また、図５に示す単位バンド１のＵＥ−ＳＳにおけるブラインド復号（モニタ）対象のＤＣＩフォーマットは、３種類のＤＣＩフォーマット（上り送信モード依存のＤＣＩ（ＤＣＩ  ０Ａ，０Ｂ）と下り送信モード依存のＤＣＩ（ＤＣＩ  １，２，２Ａ）とＤＣＩ  ０／１Ａ）である。一方、図５に示す単位バンド２以降の単位バンドのＣ−ＳＳにおけるブラインド復号（モニタ）対象のＤＣＩフォーマットはない。また、図５に示す単位バンド２以降の単位バンドのＵＥ−ＳＳにおけるブラインド復号（モニタ）対象のＤＣＩフォーマットは、２種類のＤＣＩフォーマット（上り送信モード依存のＤＣＩ（ＤＣＩ  ０Ａ，０Ｂ）と下り送信モード依存のＤＣＩ（ＤＣＩ  １，２，２Ａ））である。
【００８８】
ブラインド復号回数の低減について、例えば、図２に示すようにＣ−ＳＳでは各ＤＣＩフォーマットのそれぞれについて６回のブラインド復号が行われ、ＵＥ−ＳＳでは各ＤＣＩフォーマットのそれぞれについて１６回のブラインド復号が行われる場合について説明する。この場合、ＰＤＣＣＨ受信部２０７は、単位バンド１（主単位バンド）では合計６０（＝（６×２）＋（１６×３））回のブラインド復号を行い、単位バンド２以降の単位バンドでは単位バンドあたり合計３２（＝１６×２）回のブラインド復号を行う。すなわち、図５に示す単位バンド２以降の各単位バンドでは、Ｃ−ＳＳにおいて２種類のＤＣＩフォーマット（ＤＣＩ  １Ｃ，０／１Ａ）分のブラインド復号回数（１２（＝６×２）回）、および、ＵＥ−ＳＳにおいて１種類のＤＣＩフォーマット（ＤＣＩ  ０／１Ａ）分のブラインド復号回数（１６回）だけ、ブラインド復号回数（合計２８回）を低減することができる。
【００８９】
例えば、端末２００に５つの単位バンドが設定された場合には、端末２００は、すべての単位バンドで５種類のＤＣＩフォーマットに対してブラインド復号を行う場合には上述したように合計３００回（６０回×５）のブラインド復号が必要となる。これに対して、本実施の形態では合計１８８回（＝（６０回×１）＋（３２回×４））のブラインド復号が必要となる。つまり、本実施の形態では１１２回（＝２８回×４）だけブラインド復号が低減される。
【００９０】
このように、基地局１００は、複数の単位バンドが設定された端末２００に対して、その複数の単位バンドのうち、端末２００に設定された主単位バンド（図５では単位バンド１）に設定されたＣ−ＳＳまたはＵＥ−ＳＳにのみ全端末共通の割当制御情報（ＤＣＩ  ０／１Ａ）を割り当てる。これにより、端末２００は、全端末共通の割当制御情報（ＤＣＩ  ０／１Ａ）を、自端末に設定された複数の単位バンドのうち、主単位バンド（図５では単位バンド１）に設定されたＣ−ＳＳおよびＵＥ−ＳＳのみでブラインド復号（モニタ）すればよい。つまり、端末２００は、自端末に設定された主単位バンド以外の単位バンドでは、全端末共通の割当制御情報（ＤＣＩ  ０／１Ａ）をブラインド復号（モニタ）しなくてよいため、端末２００でのブラインド復号回数を低減することができる。
【００９１】
同様に、基地局１００は、端末２００に設定された複数の単位バンドの共通チャネル向け割当制御情報（ＤＣＩ  １Ｃ，１Ａ）を、端末２００に設定された主単位バンド（図５では単位バンド１）のＣ−ＳＳのみに割り当てる。これにより、端末２００は、共通チャネル向け割当制御情報（ＤＣＩ  １Ｃ，１Ａ）を、自端末に設定された主単位バンド（図５では単位バンド１）のＣ−ＳＳのみでブラインド復号（モニタ）すればよい。つまり、端末２００は、自端末に設定された主単位バンド以外の単位バンドでは、共通チャネル向け割当制御情報（ＤＣＩ  １Ｃ，１Ａ）をブラインド復号（モニタ）しなくてよいため、端末２００でのブラインド復号回数をさらに低減することができる。
【００９２】
ここで、ＤＣＩ  ０／１Ａは、主に伝搬路状況が急激に変化する際に送信モードの変更等を通知するために使用される。つまり、ＤＣＩ  ０／１Ａは、伝搬路状況が悪化して現在の送信モードでは通信ができなくなった際に、その劣悪な伝搬路状況でも通信が行える送信モード（すなわち、緊急避難的な送信モード）への変更を通知する上位レイヤの制御情報を割り当てる際に使用される。よって、このような制御情報は、使用頻度が低く、端末に設定された複数の単位バンドのいずれか１つの単位バンドで送信されればよい。よって、基地局１００がＤＣＩ  ０／１Ａの割当制御情報を主単位バンドのみに割り当てる場合でも、ＤＣＩ  ０／１Ａの割当制御情報が同時に送信される可能性は低いため、他の端末とのＣＣＥの競合によるＣＣＥブロック率が増加する確率は小さい。
【００９３】
また、基地局１００は、伝搬路状況の良好な単位バンド（例えば、伝搬路減衰（パスロス）が低い単位バンド、または、他セル干渉量が小さい単位バンド）を主単位バンドに設定すればよい。これにより、基地局１００は、ＤＣＩ  ０／１Ａの割当制御情報を含むＰＤＣＣＨ信号、および、その割当制御情報に示されるリソース割当対象のデータ（例えば、緊急避難的な送信モードへの変更を通知する上位レイヤの制御情報）を、伝搬路状況の良好な単位バンドで送信することができ、よりロバストな伝送が可能となる。つまり、基地局１００が伝搬路状況の良好な単位バンドを主単位バンドに設定することにより、ＰＤＣＣＨ信号およびデータの誤り率の低減および高い符号化率で送信することによる高効率な送信が可能となる。
【００９４】
このように、本実施の形態によれば、基地局は、複数の単位バンドが設定された端末に対して、ＤＣＩ  ０／１Ａの割当制御情報を、端末毎に設定された主単位バンドのみに割り当てる。これにより、端末は、ＤＣＩ  ０／１Ａについて主単位バンドのみでブラインド復号すればよい。これにより、端末は、自端末に設定された複数の単位バンドのうち主単位バンド以外の単位バンドではＤＣＩ  ０／１Ａについてブラインド復号する必要がなくなる。また、ＤＣＩ  ０／１Ａを用いて通知される割当制御情報（例えば、上位レイヤの制御情報）は、送信モードに依存するＤＣＩフォーマットと比較して使用頻度が低く、かつ、いずれかの単位バンドに割り当てられればよい。そのため、ＤＣＩ  ０／１Ａを用いて通知される割当制御情報が割り当てられるサーチスペースが限られる場合でも、他の端末とのＣＣＥの競合によってＣＣＥブロック率が増加する確率は少ない。よって、本実施の形態によれば、端末に複数の単位バンドが設定される場合でもＣＣＥブロック率を増加させることなく、端末のブラインド復号回数を低減することができる。
【００９５】
（実施の形態２）
本実施の形態では、複数の単位バンドが設定された端末に対して、ＤＣＩ  ０／１Ａの割当制御情報のうち、主単位バンドのＵＥ−ＳＳに割り当てられる割当制御情報に、リソース割当対象の単位バンドを指示する指示情報が付加される点が実施の形態１と相違する。
【００９６】
以下、本実施の形態について具体的に説明する。なお、本実施の形態に係る基地局１００（図１）および端末２００（図３）は、実施の形態１と同様の構成であるが、制御部１０２、割当部１０６およびＰＤＣＣＨ受信部２０７の動作が異なる。
【００９７】
また、以下の説明では、図６に示すように、基地局１００の単位バンド設定部１０１（図１）は、実施の形態１（図５）と同様、端末２００（ＬＴＥ−Ａ端末）に対して、複数の下り単位バンド（単位バンド１，２，…）を設定する。また、単位バンド設定部１０１は、図６に示すように、単位バンド１を端末２００の主単位バンドとして設定する。また、図６では、基地局１００は、実施の形態１（図５）と同様、各単位バンドに設定するＣ−ＳＳを構成するＣＣＥ数を４個とし、端末２００に設定する各単位バンドのＵＥ−ＳＳを構成するＣＣＥ数を６個とする。
【００９８】
本実施の形態に係る基地局１００（図１）の制御部１０２は、複数の単位バンドが設定されている端末に対して、ＤＣＩ  ０／１Ａの割当制御情報を生成する場合には、その複数の単位バンドのうち割当制御情報に示されるリソース割当情報の割当対象である単位バンドを指示する指示情報である単位バンド指示ビット（Carrier Indicator：ＣＩ）を、割当制御情報に付加する。
【００９９】
ここで、共通チャネル向け割当制御情報（ＤＣＩ  １Ａ）を含むＰＤＣＣＨ信号は、端末２００（ＬＴＥ−Ａ端末）の他に、ＬＴＥ端末でも受信される。よって、共通チャネル向け割当制御情報としてＤＣＩ  １Ａを使用する場合には、割当制御情報にＣＩを付加することはできない。また、端末個別のデータ割当向けの割当制御情報（ＤＣＩ  ０／１Ａ）において、ＣＩを付加した割当制御情報のサイズは、ＣＩが付加されていない割当制御情報のサイズと異なる。つまり、基地局１００が、ＣＩが付加された割当制御情報（端末個別のデータ割当向け）と、ＣＩが付加されない割当制御情報（例えば、共通チャネル向け）とを同一のＣ−ＳＳ内に割り当てた場合には、端末２００は、ＤＣＩ  ０／１Ａに対して、互いに異なるサイズを対象としてブラインド復号する必要がある。このため、Ｃ−ＳＳ内にＣＩが付加された割当制御情報（ＤＣＩ  ０／１Ａ）が割り当てられると、ブラインド復号回数が増加してしまう。
【０１００】
そこで、割当部１０６は、複数の単位バンドが設定されている端末向けのＰＤＣＣＨ信号に含まれる割当制御情報が全端末共通のＤＣＩフォーマット（ＤＣＩ  ０／１Ａ）であり、かつ、ＣＩが付加されている場合には、そのＰＤＣＣＨ信号を、その端末に設定された主単位バンドのＵＥ−ＳＳ内のＣＣＥに割り当てる。つまり、割当部１０６は、ＰＤＣＣＨ信号に含まれる割当制御情報が全端末共通のＤＣＩフォーマット（ＤＣＩ  ０／１Ａ）であり、かつ、ＣＩが付加されている場合には、そのＰＤＣＣＨ信号を、Ｃ−ＳＳ内のＣＣＥに割り当てない。具体的には、割当部１０６は、全端末共通のデータ割当向け割当制御情報（ＤＣＩ  ０／１Ａ）を含むＰＤＣＣＨ信号のうち、ＣＩが付加された割当制御情報を含むＰＤＣＣＨ信号（ＤＣＩ  ０／１Ａ（ＣＩ付き））を、図６に示す単位バンド１（主単位バンド）のＵＥ−ＳＳ内のＣＣＥに割り当てる。また、割当部１０６は、ＣＩが付加されていない割当制御情報（ＤＣＩ  ０／１Ａ（ＣＩ無し））を含むＰＤＣＣＨ信号を図６に示す単位バンド１（主単位バンド）のＣ−ＳＳ内のＣＣＥに割り当てる。
【０１０１】
また、割当部１０６は、実施の形態１と同様、共通チャネル向け割当制御情報（図６に示すＤＣＩ  １Ｃ，１Ａ）を含むＰＤＣＣＨ信号を単位バンド１（主単位バンド）のＣ−ＳＳ内のＣＣＥに割り当てる。また、割当部１０６は、実施の形態１と同様、端末２００に設定された送信モードに依存する割当制御情報（上り回線（ＤＣＩ  ０Ａ，０Ｂ）、下り回線（ＤＣＩ  １，２，２Ａ））を含むＰＤＣＣＨ信号を、端末２００に設定された複数の単位バンド（図６に示す単位バンド１，２，…）の各ＵＥ−ＳＳ内のＣＣＥに割り当てる。
【０１０２】
一方、端末２００（図３）のＰＤＣＣＨ受信部２０７は、主バンド情報に示される自端末の主単位バンドにおいて、算出したＵＥ−ＳＳ内の各ＣＣＥ連結数のＣＣＥ候補について、自端末に設定された送信モードに対応したＤＣＩフォーマットのサイズおよび全端末共通のＤＣＩフォーマット（ＤＣＩ  ０／１Ａ）のサイズを対象として復調および復号する。具体的には、ＰＤＣＣＨ受信部２０７は、実施の形態１と同様、図６に示す単位バンド１（主単位バンド）のＣ−ＳＳに対して、共通チャネル向け割当制御情報（ＤＣＩ  １Ｃ，１Ａ）を含むＰＤＣＣＨ信号および全端末共通のデータ割当向け割当制御情報（ＤＣＩ  ０／１Ａ（ＣＩ無し））を含むＰＤＣＣＨ信号をそれぞれブラインド復号する。また、ＰＤＣＣＨ受信部２０７は、実施の形態１と同様、自端末に設定された複数の単位バンド（図６に示す単位バンド１，２，…）の各ＵＥ−ＳＳに対して、送信モードに依存する割当制御情報（上り回線（ＤＣＩ  ０Ａ，０Ｂ）、下り回線（ＤＣＩ  １，２，２Ａ））を含むＰＤＣＣＨ信号をそれぞれブラインド復号する。
【０１０３】
また、ＰＤＣＣＨ受信部２０７は、図６に示す単位バンド１（主単位バンド）のＵＥ−ＳＳに対して、全端末共通のデータ割当向け割当制御情報（ＤＣＩ  ０／１Ａ（ＣＩ付き））を含むＰＤＣＣＨ信号をブラインド復号する。このとき、ＰＤＣＣＨ受信部２０７は、ＣＩが付加された割当制御情報のサイズを対象としてブラインド復号を行う。つまり、ＰＤＣＣＨ受信部２０７は、図６に示す単位バンド１のＵＥ−ＳＳ内のＣＣＥをブラインド復号することにより、ＣＩが付加された割当制御情報を得る。
【０１０４】
このようにして、基地局１００の割当部１０６は、ＣＩを割当制御情報に付加することにより、端末２００に設定された主単位バンド（図６では単位バンド１）を割当対象としたリソース割当情報を示す割当制御情報（ＤＣＩ  ０／１Ａ）だけでなく、主単位バンド以外の単位バンドを割当対象としたリソース割当情報を示す割当制御情報（ＤＣＩ  ０／１Ａ）も、主単位バンドのＵＥ−ＳＳ内のＣＣＥのみに割り当てる。そして、端末２００のＰＤＣＣＨ受信部２０７は、図６に示す単位バンド１（主単位バンド）のＵＥ−ＳＳにおいて、自端末宛てのＤＣＩ  ０／１Ａの割当制御情報を得た場合には、割当制御情報に付加されたＣＩに示される単位バンドをリソース割当対象の単位バンドとして特定する。これにより、基地局１００が端末個別のデータ割当向けのＤＣＩ  ０／１Ａの割当制御情報を、端末２００に設定された主単位バンド（図６では単位バンド１）のみで送信するにも関わらず、端末２００に設定された複数の単位バンドすべてに対してデータ割当を行うことが可能となる。
【０１０５】
よって、基地局１００は、ＤＣＩ  ０／１Ａを使用して通知する上位レイヤの制御情報（例えば、緊急避難的な送信モードへの変更を通知する制御情報）等のデータを送信するための単位バンドを、送信タイミング毎に（例えば、サブフレーム単位で）選択することができるため、データ割当の自由度が向上する。例えば、基地局１００は、サブフレーム単位で瞬時の伝搬路状況の変動を追従することにより、伝搬路状況の良好な単位バンドで上位レイヤの制御情報等のデータを送信することができる。このため、高符号化率でのデータ送信、つまり、少ないリソース量で効率が良いデータ送信が可能となる。
【０１０６】
また、実施の形態１と同様、ＤＣＩ  ０／１Ａの割当制御情報は、図６に示す主単位バンドである単位バンド１のみに割り当てられる。このため、端末２００は、ＤＣＩ  ０／１Ａの割当制御情報に対しては、自端末の主単位バンドである単位バンド１のみをブラインド復号（モニタ）対象とすればよい。よって、実施の形態１と同様、複数の単位バンドが設定された端末２００のブラインド復号回数を低減することができる。
【０１０７】
このようにして、本実施の形態によれば、ＵＥ−ＳＳに割り当てられるＤＣＩ  ０／１Ａの割当制御情報にＣＩを付加することにより、データ割当の自由度を向上しつつ、実施の形態１と同様、端末に複数の単位バンドが設定される場合でもＣＣＥブロック率を増加させることなく、端末のブラインド復号回数を低減することができる。
【０１０８】
（実施の形態３）
本実施の形態では、基地局は、複数の単位バンドが設定された端末に対して、ＤＣＩ  ０／１Ａの割当制御情報を、複数の単位バンドにそれぞれ設定されたＣ−ＳＳ内のＣＣＥのみに割り当てる。
【０１０９】
以下、本実施の形態について具体的に説明する。なお、本実施の形態に係る基地局１００（図１）および端末２００（図３）は、実施の形態１と同様の構成であるが、割当部１０６およびＰＤＣＣＨ受信部２０７の動作が異なる。また、端末に設定される単位バンドが１つの場合については、実施の形態１（図４）と同様であるため、説明を省略する。つまり、以下の説明では、端末に対して複数の単位バンドが設定された場合について説明する。
【０１１０】
また、以下の説明では、図７に示すように、基地局１００の単位バンド設定部１０１（図１）は、実施の形態１（図５）と同様、複数の下り単位バンド（単位バンド１，２，…）を端末２００（ＬＴＥ−Ａ端末）に設定する。また、図７では、基地局１００は、実施の形態１（図５）と同様、各単位バンドに設定するＣ−ＳＳを構成するＣＣＥ数を４個とし、端末２００に設定する各単位バンドのＵＥ−ＳＳを構成するＣＣＥ数を６個とする。
【０１１１】
本実施の形態に係る基地局１００（図１）の割当部１０６は、複数の単位バンドが設定されている端末に対しては、その端末宛てのＰＤＣＣＨ信号に含まれる割当制御情報が全端末共通のフォーマット（例えば、ＤＣＩ  １Ｃ，０／１Ａ）の場合には、その端末に設定された複数の単位バンドにそれぞれ設定されたＣ−ＳＳおよびＵＥ−ＳＳのうち、Ｃ−ＳＳ内のＣＣＥにのみＰＤＣＣＨ信号を割り当てる。また、割当部１０６は、ＰＤＣＣＨ信号に含まれる割当制御情報が送信モード依存のＤＣＩフォーマット（例えば、ＤＣＩ  １，２，２Ａ，０Ａ，０Ｂ）の場合には、実施の形態１と同様、各単位バンドにおいてその端末に設定されたＵＥ−ＳＳ内のＣＣＥにＰＤＣＣＨ信号を割り当てる。このとき、割当部１０６は、割当制御情報を、その割当制御情報に示されるリソース割当対象のデータが送信される単位バンド内のＣＣＥに割り当てる。
【０１１２】
具体的には、割当部１０６は、図７に示す複数の単位バンド（単位バンド１，２，…）にそれぞれ設定されたＣ−ＳＳのいずれかに、共通チャネル向け割当制御情報（ＤＣＩ  １Ｃ，１Ａ）を含むＰＤＣＣＨ信号および全端末共通のデータ割当向け割当制御情報（ＤＣＩ  ０／１Ａ）を含むＰＤＣＣＨ信号を割り当てる。これに対し、割当部１０６は、図７に示す複数の単位バンド（単位バンド１，２，…）の各ＵＥ−ＳＳ内のＣＣＥには、端末２００に設定された送信モードに依存する割当制御情報（上り回線（ＤＣＩ  ０Ａ，０Ｂ）、下り回線（ＤＣＩ  １，２，２Ａ））を含むＰＤＣＣＨ信号を割り当てる。
【０１１３】
つまり、複数の単位バンドが設定された端末に対しては、ＤＣＩ  ０／１Ａの割当制御情報は、各単位バンドのＣ−ＳＳ内のＣＣＥのみに割り当てられ、各単位バンドのＵＥ−ＳＳには、送信モードに依存するＤＣＩフォーマットの割当制御情報のみが割り当てられる。
【０１１４】
一方、端末２００（図３）のＰＤＣＣＨ受信部２０７は、設定情報受信部２０６から入力される帯域情報に示される下り単位バンドが複数の場合、自端末に設定された各単位バンドのＣ−ＳＳに対して、全端末共通のフォーマットに対するブラインド復号を行う。また、ＰＤＣＣＨ受信部２０７は、自端末に設定された各単位バンドのＵＥ−ＳＳに対して、自端末に設定された送信モードに対応したＤＣＩフォーマットに対するブラインド復号を行う。
【０１１５】
具体的には、ＰＤＣＣＨ受信部２０７は、図７に示す複数の単位バンド（単位バンド１，２，…）の各Ｃ−ＳＳに対して、共通チャネル向け割当制御情報（ＤＣＩ  １Ｃ，１Ａ）を含むＰＤＣＣＨ信号および全端末共通のデータ割当向け割当制御情報（ＤＣＩ  ０／１Ａ）を含むＰＤＣＣＨ信号をそれぞれブラインド復号する。また、ＰＤＣＣＨ受信部２０７は、図７に示す複数の単位バンド（単位バンド１，２，…）の各ＵＥ−ＳＳに対して、送信モードに依存する割当制御情報（上り回線（ＤＣＩ  ０Ａ，０Ｂ）、下り回線（ＤＣＩ  １，２，２Ａ））を含むＰＤＣＣＨ信号をそれぞれブラインド復号する。
【０１１６】
つまり、ＰＤＣＣＨ受信部２０７は、自端末に複数の単位バンドが設定された場合には、各単位バンドにそれぞれ設定されたＣ−ＳＳおよびＵＥ−ＳＳのうちＣ−ＳＳに対してのみ、全端末共通のＤＣＩフォーマット（ＤＣＩ  １Ｃ，０／１Ａ）に対するブラインド復号（モニタ）を行う。つまり、ＰＤＣＣＨ受信部２０７は、各単位バンドのＵＥ−ＳＳにおいて全端末共通のデータ割当向け割当制御情報（ＤＣＩ  ０／１Ａ）を含むＰＤＣＣＨ信号のブラインド復号（モニタ）を行わない。すなわち、ＰＤＣＣＨ受信部２０７は、図７に示す各単位バンドのＣ−ＳＳでは、２種類のＤＣＩフォーマット（ＤＣＩ  １ＣとＤＣＩ  ０／１Ａ）に対してブラインド復号を行い、各単位バンドのＵＥ−ＳＳでは、２種類のＤＣＩフォーマット（上り送信モード依存のＤＣＩ（ＤＣＩ  ０Ａ，０Ｂ）と下り送信モード依存のＤＣＩ（ＤＣＩ  １，２，２Ａ））に対してブラインド復号を行う。
【０１１７】
ブラインド復号回数の低減について、例えば、図２に示すようにＣ−ＳＳでは各ＤＣＩフォーマットのそれぞれについて６回のブラインド復号が行われ、ＵＥ−ＳＳでは各ＤＣＩフォーマットのそれぞれについて１６回のブラインド復号が行われる場合について説明する。この場合、ＰＤＣＣＨ受信部２０７は、単位バンドあたり合計４４（＝（６×２）＋（１６×２））回のブラインド復号を行う。すなわち、図７に示す各単位バンドのＵＥ−ＳＳにおいて１種類のＤＣＩフォーマット（ＤＣＩ  ０／１Ａ）分のブラインド復号回数（１６回）だけブラインド復号回数を低減することができる。
【０１１８】
例えば、端末２００に５つの単位バンドが設定された場合には、端末２００は、すべての単位バンドで５種類のＤＣＩフォーマットに対してブラインド復号を行う場合には上述したように合計３００回（６０回×５）のブラインド復号が必要となる。これに対して、本実施の形態では合計２２０回（＝４４回×５）のブラインド復号が必要となる。つまり、本実施の形態では８０回（＝１６回×５）だけブラインド復号が低減される。
【０１１９】
また、基地局１００は、端末２００に設定した複数の単位バンドのＣ−ＳＳのいずれかでＤＣＩ  ０／１Ａの割当制御情報を送信すればよい。これにより、基地局１００は、例えば、ＤＣＩ  ０／１Ａによって通知される上位レイヤの制御情報（例えば、緊急避難的な送信モードへの変更を通知する制御情報）が送信される単位バンドを、複数の単位バンドから選択することができるため、実施の形態２と同様、データ割当の自由度を向上できる。また、上述したような上位レイヤの制御情報は、使用頻度が低く、端末２００に設定された複数の単位バンドのうちいずれか１つの単位バンドで送信されればよい。このため、基地局１００がＤＣＩ  ０／１Ａの割当制御情報を各単位バンドのＣ−ＳＳのみで送信する場合でも、他の端末とのＣＣＥの競合によりＣＣＥブロック率が増加する可能性は小さい。
【０１２０】
このようにして、本実施の形態によれば、基地局は、端末に複数の単位バンドが設定された場合に、複数の端末に共通のデータ割当向け割当制御情報を各単位バンドのＣ−ＳＳにのみ割り当てる。これにより、端末は、ＵＥ−ＳＳにおいて、複数の端末に共通のデータ割当向け割当制御情報に対するブラインド復号が不要になる分、端末におけるブラインド復号回数を低減することができる。また、基地局は、複数の端末に共通のデータ割当向け割当制御情報を割り当てる単位バンドを、端末に設定した複数の単位バンドの中から選択することができるため、他の端末とのＣＣＥの競合によるＣＣＥブロック率が増加する可能性は小さくなる。よって、本実施の形態によれば、実施の形態１と同様、端末に複数の単位バンドが設定される場合でもＣＣＥブロック率を増加させることなく、端末のブラインド復号回数を低減することができる。
【０１２１】
（実施の形態４）
本実施の形態では、端末に複数の単位バンドが設定される場合、端末に設定された主単位バンドにおいて、複数の単位バンドに対応するサーチスペースすべてを設定する点が実施の形態２と相違する。
【０１２２】
以下、本実施の形態について具体的に説明する。なお、本実施の形態に係る基地局１００（図１）および端末２００（図３）は、実施の形態１と同様の構成であるが、単位バンド設定部１０１、サーチスペース設定部１０３、割当部１０６、設定情報受信部２０６およびＰＤＣＣＨ受信部２０７の動作が異なる。
【０１２３】
本実施の形態に係る基地局１００（図１）の単位バンド設定部１０１は、実施の形態１と同様の処理に加え、さらに、ＰＤＣＣＨ信号の送信に用いる１つの単位バンド（以下、ＰＤＣＣＨ送信単位バンドという）を端末毎に設定する。例えば、単位バンド設定部１０１は、ＰＤＣＣＨ送信単位バンドとして、各端末の主単位バンドを設定する。
【０１２４】
サーチスペース設定部１０３は、複数の単位バンドが設定されている端末に対して、単位バンド設定部１０１で設定されたＰＤＣＣＨ送信単位バンド上に、その端末に設定された複数の単位バンドと同数のＵＥ−ＳＳを設定する。つまり、サーチスペース設定部１０３は、ＰＤＣＣＨ送信単位バンド上に、その端末に設定された複数の単位バンドにそれぞれ対応するサーチスペースを設定する。すなわち、サーチスペース設定部１０３は、端末に設定された複数の単位バンドそれぞれに対するＵＥ−ＳＳすべてを、特定の単位バンド（主単位バンド、つまり、ＰＤＣＣＨ送信単位バンド）に設定する。例えば、サーチスペース設定部１０３は、端末の端末ＩＤおよびランダム化を行うハッシュ（hash）関数を用いて算出されるＣＣＥ番号を起点としたＬ個のＣＣＥを１つ目の単位バンドのＵＥ−ＳＳに設定し、１つ目の単位バンドのＵＥ−ＳＳに設定されたＣＣＥ（最後尾のＣＣＥ）の次のＣＣＥを起点としたＬ個のＣＣＥを２つ目の単位バンドのＵＥ−ＳＳに設定する。
【０１２５】
割当部１０６は、複数の単位バンドが設定されている端末向けのＰＤＣＣＨ信号に含まれる割当制御情報が全端末共通のＤＣＩフォーマット（ＤＣＩ  ０／１Ａ）であり、かつ、ＣＩが付加されている場合には、そのＰＤＣＣＨ信号を、サーチスペース設定部１０３で設定した、ＰＤＣＣＨ送信単位バンドに設定された複数の単位バンドにそれぞれ対応するＵＥ−ＳＳのうち、その端末に設定された主単位バンドに対応するＵＥ−ＳＳ内のＣＣＥに割り当てる。また、割当部１０６は、ＰＤＣＣＨ信号に含まれる割当制御情報が全端末共通のＤＣＩフォーマット（ＤＣＩ  ０／１Ａ）であり、かつ、ＣＩが付加されていない場合には、そのＰＤＣＣＨ信号を、Ｃ−ＳＳ内のＣＣＥに割り当てる。また、割当部１０６は、ＰＤＣＣＨ信号に含まれる割当制御情報が送信モードに依存するＤＣＩフォーマット（ＤＣＩ  ０／１Ａ）である場合には、そのＰＤＣＣＨ信号を、ＰＤＣＣＨ送信単位バンドに設定された複数のＵＥ−ＳＳのうち、その割当制御情報に示されるリソース割当対象のデータが送信される単位バンドに対応するＵＥ−ＳＳに割り当てる。このように、割当部１０６は、複数の単位バンドが設定されている端末向けのすべてのＰＤＣＣＨ信号を、ＰＤＣＣＨ送信単位バンドに割り当てる。
【０１２６】
一方、端末２００（図３）の設定情報受信部２０６は、分離部２０５から入力される制御信号から、自端末に設定されたＰＤＣＣＨ送信単位バンドを示す情報を読み取り、その情報をＰＤＣＣＨ受信部２０７に出力する。
【０１２７】
ＰＤＣＣＨ受信部２０７は、設定情報受信部２０６から入力される情報に示されるＰＤＣＣＨ送信単位バンドにおいて、サーチスペース設定部１０３と同様にして、自端末に設定された各単位バンドに対応するＵＥ−ＳＳを算出する。そして、ＰＤＣＣＨ受信部２０７は、算出した各単位バンドにそれぞれ対応するＵＥ−ＳＳに対して、自端末に設定された送信モードに対応したＤＣＩフォーマットを対象としてブラインド復号（モニタ）する。また、ＰＤＣＣＨ受信部２０７は、ＰＤＣＣＨ送信単位バンドに設定された複数の単位バンドにそれぞれ対応するＵＥ−ＳＳのうち、主単位バンド（特定の単位バンド）に対応するＵＥ−ＳＳに対してのみ、全端末共通のＤＣＩフォーマット（ＤＣＩ  ０／１Ａ（ＣＩ付き））を対象としてブラインド復号する。つまり、ＰＤＣＣＨ受信部２０７は、主単位バンド（特定の単位バンド）に設定された複数の単位バンドにそれぞれ対応するＵＥ−ＳＳのうち、主単位バンド（特定の単位バンド）に対応するＵＥ−ＳＳ内のＣＣＥのみをブラインド復号（モニタ）することにより、ＣＩが付加された割当制御情報を得る。ここで、主単位バンドに対応するＵＥ−ＳＳに対してブラインド復号（モニタ）した結果、ＣＩが付加された割当制御情報が得られた場合、端末２００は、ＣＩによって指示される単位バンドにおいて、割当制御情報に示されるリソース割当情報に基づいて、データ（例えば、上位レイヤの制御情報）の割当を行う。
【０１２８】
次に、基地局１００の割当部１０６におけるＰＤＣＣＨ信号割当処理、および、端末２００のＰＤＣＣＨ受信部２０７におけるブラインド復号（モニタ）処理の詳細について説明する。
【０１２９】
以下の説明では、図８に示すように、基地局１００の単位バンド設定部１０１（図１）は、実施の形態１（図５）と同様、端末２００（ＬＴＥ−Ａ端末）に対して、複数の下り単位バンド（単位バンド１，２，…）を設定する。また、単位バンド設定部１０１は、図８に示すように、単位バンド１を端末２００の主単位バンドとして設定する。また、単位バンド設定部１０１は、図８に示す単位バンド１（主単位バンド）をＰＤＣＣＨ送信単位バンドとして設定する。なお、ＰＤＣＣＨ送信単位バンドは、上位レイヤの制御情報（ＲＲＣ制御情報）として端末２００に別途通知される。例えば、ＰＤＣＣＨ送信単位バンドとしては、伝搬路状況が良好な単位バンド（ＳＩＲがより高い単位バンド、受信電力がより高い単位バンド、伝搬路減衰（パスロス）がより小さい単位バンド）または他セル干渉がより小さい単位バンドが設定される。
【０１３０】
また、図８では、基地局１００は、実施の形態１（図５）と同様、各単位バンドに設定するＣ−ＳＳを構成するＣＣＥ数を４個とし、端末２００に設定する各単位バンドのＵＥ−ＳＳを構成するＣＣＥ数を６個とする。
【０１３１】
基地局１００のサーチスペース設定部１０３は、複数の単位バンドが設定された端末２００に対して、端末２００に設定された複数の単位バンドにそれぞれ対応するＵＥ−ＳＳすべてを、ＰＤＣＣＨ送信単位バンドである単位バンド１（主単位バンド）に設定する。例えば、端末２００の端末ＩＤおよびハッシュ（hash）関数から算出されたＣＣＥ番号をｍとし、サーチスペースを構成するＣＣＥ数をＬ個とすると、サーチスペース設定部１０３は、図８に示すように、ＣＣＥ番号ｍ〜（ｍ＋（Ｌ−１））のＣＣＥを、単位バンド１（主単位バンド）に対応するＵＥ−ＳＳに設定する。同様に、サーチスペース設定部１０３は、図８に示すように、ＣＣＥ番号（ｍ＋Ｌ）〜（ｍ＋（２Ｌ−１））のＣＣＥを、単位バンド２に対応するＵＥ−ＳＳに設定する。すなわち、サーチスペース設定部１０３は、ＣＣＥ番号（ｍ＋（ｋ−１）Ｌ）〜（ｍ＋（ｋＬ−１））を、単位バンドｋに対応するサーチスペースに設定する。なお、サーチスペース設定部１０３は、ＣＣＥ番号が最後のＣＣＥ番号まで達した場合にはＣＣＥ番号を０に戻す、すなわち、サーチスペースの設定に用いるＣＣＥ番号にｍｏｄ  ＮＣＣＥを採るようにしてもよい。ここで、ｍｏｄはモジュロ演算であり、ＮＣＣＥは、ＰＤＣＣＨ送信単位バンドのＰＤＣＣＨを構成するＣＣＥ数である。
【０１３２】
図８に示す単位バンド１（ＰＤＣＣＨ送信単位バンド）において、割当部１０６は、全端末共通のデータ割当向け割当制御情報（ＤＣＩ  ０／１Ａ）を含むＰＤＣＣＨ信号のうち、割当制御情報にＣＩが付加されていないＰＤＣＣＨ信号をＣ−ＳＳ内のＣＣＥに割り当て、割当制御情報にＣＩが付加されたＰＤＣＣＨ信号を主単位バンドである単位バンド１に対応するＵＥ−ＳＳ内のＣＣＥに割り当てる。
【０１３３】
また、図８に示す単位バンド１（ＰＤＣＣＨ送信単位バンド）において、割当部１０６は、端末２００に設定された送信モードに依存する割当制御情報（上り回線（ＤＣＩ  ０Ａ，０Ｂ）、下り回線（ＤＣＩ  １，２，２Ａ））を、その割当制御情報に示されるリソース割当対象のデータが送信される単位バンドに対応するＵＥ−ＳＳ内のＣＣＥに割り当てる。例えば、端末２００に設定された送信モードに依存する割当制御情報に示されるリソース割当対象のデータが送信される単位バンドを図８に示す単位バンド２とした場合、割当部１０６は、その割当制御情報を含むＰＤＣＣＨ信号を、図８に示す単位バンド１上の、単位バンド２に対応するＵＥ−ＳＳ内のＣＣＥに割り当てる。
【０１３４】
一方、端末２００のＰＤＣＣＨ受信部２０７は、図８に示す単位バンド１（主単位バンド）のＣ−ＳＳに対して、共通チャネル向け割当制御情報（ＤＣＩ  １Ｃ，１Ａ）を含むＰＤＣＣＨ信号および全端末共通のデータ割当向け割当制御情報（ＤＣＩ  ０／１Ａ（ＣＩ無し））を含むＰＤＣＣＨ信号をそれぞれブラインド復号する。また、ＰＤＣＣＨ受信部２０７は、図８に示す単位バンド１において、自端末に設定された単位バンド（単位バンド１，２，…）にそれぞれ対応するＵＥ−ＳＳに対して、送信モードに依存する割当制御情報（上り回線（ＤＣＩ  ０Ａ，０Ｂ）、下り回線（ＤＣＩ  １，２，２Ａ））を含むＰＤＣＣＨ信号をそれぞれブラインド復号する。
【０１３５】
また、ＰＤＣＣＨ受信部２０７は、図８に示す単位バンド１（ＰＤＣＣＨ送信単位バンド）に設定された、複数の単位バンドにそれぞれ対応するＵＥ−ＳＳのうち、主単位バンドである単位バンド１に対応するＵＥ−ＳＳに対して、全端末共通のデータ割当向け割当制御情報（ＤＣＩ  ０／１Ａ（ＣＩ付き））を含むＰＤＣＣＨ信号をブラインド復号する。このとき、ＰＤＣＣＨ受信部２０７は、ＣＩが付加された割当制御情報のサイズを対象としてブラインド復号を行う。
【０１３６】
これにより、端末２００は、図８に示す単位バンド１上に設定された単位バンド１に対応するＵＥ−ＳＳにおいて、自端末宛てのＤＣＩ  ０／１Ａの割当制御情報を得た場合には、割当制御情報に付加されたＣＩに示される単位バンドをリソース割当対象の単位バンドとして特定する。つまり、基地局１００は、実施の形態２と同様、端末個別のデータ割当向けのＤＣＩ  ０／１Ａの割当制御情報を、端末２００に設定された主単位バンド（ＰＤＣＣＨ送信単位バンド）のみで送信するにも関わらず、複数の単位バンドに対してデータ割当を行うことが可能となる。
【０１３７】
よって、基地局１００は、実施の形態２と同様、ＤＣＩ  ０／１Ａを使用して通知する上位レイヤの制御情報（例えば、緊急避難的な送信モードへの変更を通知する制御情報）等のデータを送信するための単位バンドを、送信タイミング毎に（例えば、サブフレーム単位で）選択することができるため、データ割当の自由度が向上する。例えば、基地局１００は、サブフレーム単位で瞬時の伝搬路状況の変動を追従することにより、伝搬路状況の良好な単位バンドで上位レイヤの制御情報等のデータを送信することができるため、高い符号化率でのデータ送信、つまり、少ないリソース量で効率が良いデータ送信が可能となる。
【０１３８】
また、ＤＣＩ  ０／１Ａの割当制御情報は、図８に示す単位バンド１（ＰＤＣＣＨ送信単位バンド）にのみ割り当てられる。このため、端末２００は、ＤＣＩ  ０／１Ａの割当情報に対しては、ＰＤＣＣＨ送信単位バンドである単位バンド１のみをブラインド復号（モニタ）対象とすればよい。よって、実施の形態１と同様、複数の単位バンドが設定された端末２００のブラインド復号回数を低減することができる。
【０１３９】
さらに、基地局１００は、伝搬路状況が良好な単位バンドをＰＤＣＣＨ送信単位バンドとして端末毎に設定することができる。このため、基地局は、各端末に対するＰＤＣＣＨを伝搬路状況が良好な単位バンドでＰＤＣＣＨ信号を送信できるので、ＰＤＣＣＨ信号の誤り率特性を向上させることができ、かつ、高い符号化率での信号送信、つまり、少ないリソース量（ＣＣＥ数）で効率が良い信号送信が可能となる。
【０１４０】
このようにして、本実施の形態によれば、実施の形態１と同様、端末に複数の単位バンドが設定される場合でもＣＣＥブロック率を増やすことなく、端末のブラインド復号回数を低減することができる。さらに、本実施の形態によれば、実施の形態２と同様、ＵＥ−ＳＳに割り当てられるＤＣＩ  ０／１Ａの割当制御情報にＣＩを付加することで、データ割当の自由度を向上することができる。さらに、本実施の形態によれば、複数の単位バンドのＰＤＣＣＨ信号を送信するためのサーチスペースすべてを伝搬路状況が良好な１つの単位バンドに設定することで、ＰＤＣＣＨ信号の誤り率特性を向上させることができる。
【０１４１】
なお、本実施の形態において、ＰＤＣＣＨ送信単位バンドは、セル毎に全端末共通に設定してもよい。例えば、複数の単位バンドの周波数帯域が異なる場合（例えば、単位バンド１が８００ＭＨｚ帯であり、単位バンド２が３．４ＭＨｚ帯である場合）、基地局は、周波数のより低い単位バンド（８００ＭＨｚ帯の単位バンド１）を、ＰＤＣＣＨ送信単位バンドとして設定してもよい。ここで、周波数が低い帯域ほど、伝搬路減衰（パスロス）がより小さくなる。よって、ＰＤＣＣＨ送信単位バンドとして、周波数のより低い単位バンドを設定することで、よりロバストで効率の良い信号送信を行うことが可能となる。
【０１４２】
また、本実施の形態において、ＤＣＩ  ０／１Ａの割当制御情報にＣＩを付加しない構成を適用してもよい。本実施の形態では、ＰＤＣＣＨ送信単位バンド（図８では主単位バンドである単位バンド１）に対応するＵＥ−ＳＳに、ＤＣＩ  ０／１Ａの割当制御情報が割り当てられる。そのため、ＰＤＣＣＨ送信単位バンドとして、伝搬路状況が良好な単位バンドを基地局で予め選択することにより、ＤＣＩ  ０／１Ａの割当制御情報、および、その割当制御情報に示されるリソース割当対象のデータは、ＣＩを付加して伝搬路状況が良好な単位バンドを指示しなくても、伝搬路状況が良好な単位バンドであるＰＤＣＣＨ送信単位バンドで送信することができる。
【０１４３】
また、本実施の形態では、ＤＣＩ  ０／１Ａの割当制御情報が主単位バンドに対応するＵＥ−ＳＳに割り当てられる場合について説明した。しかし、本実施の形態では、ＤＣＩ  ０／１Ａの割当制御情報が割り当てられるＵＥ−ＳＳは、主単位バンドに対応するＵＥ−ＳＳに限らず、どの単位バンドに対応するＵＥ−ＳＳに割り当てられてもよい。ＤＣＩ  ０／１Ａの割当制御情報がどの単位バンドに対応するＵＥ−ＳＳに割り当てられる場合でも、端末は、複数の単位バンドにそれぞれ対応するＵＥ−ＳＳのうち１つの単位バンドに対応するＵＥ−ＳＳのみでＤＣＩ  ０／１Ａに対するブラインド復号を行えばよいため、上記実施の形態と同様、端末のブラインド復号回数を低減することができる。
【０１４４】
また、本実施の形態では、ＰＤＣＣＨ送信単位バンドが１つの場合について説明したが、本発明では、ＰＤＣＣＨ送信単位バンドは複数であってもよい。
【０１４５】
また、本実施の形態で用いた、ＰＤＣＣＨ送信単位バンドは、UE PDCCH component carrier setと呼ばれることもある。
【０１４６】
以上、本発明の各実施の形態について説明した。
【０１４７】
なお、バンドアグリゲーション（Band aggregation）は、キャリアアグリゲーション（Carrier aggregation）と呼ばれることもある。また、バンドアグリゲーションは、連続する周波数帯域を連結する場合に限らず、非連続な周波数帯域を連結してもよい。
【０１４８】
また、本発明では、端末ＩＤとしてＣ−ＲＮＴＩ（Cell-Radio Network Temporary Identifier）を用いてもよい。
【０１４９】
また、上記実施の形態では、単位バンドを、最大２０ＭＨｚの幅を持つ帯域であって、通信帯域の基本単位として定義する場合について説明した。しかし、単位バンドは、次のように定義されることもある。例えば、下り単位バンドは、基地局から報知されるＢＣＨ（Broadcast Channel）の中の下り周波数帯域情報によって区切られた帯域、または、ＰＤＣＣＨが周波数領域に分散配置される場合の分散幅によって定義される帯域として定義されることもある。また、上り単位バンドは、基地局から報知されるＢＣＨの中の上り周波数帯域情報によって区切られた帯域、または、中心付近にＰＵＳＣＨを含み、両端部にＰＵＣＣＨを含む２０ＭＨｚ以下の通信帯域の基本単位として定義されることもある。また、単位バンドは、ＬＴＥにおいて、単位キャリア（Component carrier(s)）、または、単位帯域と呼ばれることもある。
【０１５０】
また、本発明では、主単位バンドとして設定される単位バンドは、システムで予め決められた単位バンド（例えば、ＳＣＨまたはＰ−ＢＣＨを送信する単位バンド）が設定されてもよく、セル毎に端末間で共通の単位バンドが設定されてもよく、端末毎に異なる単位バンドが設定されてもよい。
【０１５１】
また、主単位バンドはanchorバンド（anchorキャリア）、マスターバンド（マスターキャリア）、プライマリーバンド（プライマリーキャリア）と呼ばれることもある。
【０１５２】
また、上記実施の形態において、「全端末共通のＤＣＩフォーマット」という表現は、「送信モードに依存しないＤＣＩフォーマット」と読み替えることもできる。
【０１５３】
また、上記実施の形態では、「全端末共通のＤＣＩフォーマット」としてＤＣＩ  ０／１Ａを用いる場合について説明した。しかし、本発明では、「全端末共通のＤＣＩフォーマット」としては、ＤＣＩ  ０／１Ａに限らず、送信モードに依存しないで用いられるＤＣＩフォーマットであればよい。
【０１５４】
また、上記実施の形態では、送信モード依存のＤＣＩとしてＤＣＩ  ０Ａ，０Ｂ，１，２，２Ａを用いる場合について説明した。しかし、本発明では、送信モード依存のＤＣＩとして、ＤＣＩ  ０Ａ，０Ｂ，１，２，２Ａ以外のフォーマットを用いてもよい。
【０１５５】
また、本発明において、送信モード依存のＤＣＩとして、ＤＣＩ  ０（上り回線での連続帯域割当送信）およびＤＣＩ  １Ａ（下り回線での連続帯域割当送信）を用いてもよい。この場合、全端末共通のＤＣＩフォーマット（ＤＣＩ  ０／１Ａ）と、送信モード依存のＤＣＩフォーマットとが同一となる。このため、端末は、自端末に設定されたＵＥ−ＳＳでは、上り回線（ＤＣＩ  ０，０Ａ，０Ｂ）および下り回線（１，１Ａ，２，２Ａ）でそれぞれ１種類のＤＣＩフォーマットを対象としてブラインド復号すればよい。なお、上り回線および下り回線の送信モードがいずれも連続帯域割当の場合（ＤＣＩ  ０／１Ａの場合）には、端末は、上り回線および下り回線合わせて１種類のＤＣＩフォーマットを対象としてブラインド復号すればよい。このようにして、ＤＣＩ  ０／１Ａを、サーチスペースのサイズがより広い、送信モード依存のＤＣＩとして用いてもよい。これにより、伝搬路状況が劣悪であり、ＤＣＩ  ０／１Ａの割当制御情報しか割り当てられない端末に対しても、基地局は、より広いサーチスペース内のＣＣＥに、ＤＣＩ  ０／１Ａの割当制御情報を割り当てることができるため、ＣＣＥブロック率の増加を防ぐことができる。
【０１５６】
また、端末毎に設定される単位バンドは、上り回線と下り回線とでそれぞれ独立に設定されてもよい。また、上り回線向けに設定した単位バンドはUE UL Component Carrier Set、下り回線向けに設定した単位バンドはUE DL Component Carrier Setと呼ばれることもある。
【０１５７】
また、上記実施の形態２および４では、異なる単位バンドのデータ割当を行う際にＣＩビットを付加する場合について説明した。しかし、本発明では、ＣＩビットを付加する場合に限らず、その他の方法で異なる単位バンドを指示するようにしてもよい。例えば、ＣＲＣ部分を割当対象の単位バンドに応じたコードでマスクするようにしてもよいし、割当対象の単位バンド毎に異なるサーチスペースを設定することにより割当対象の単位バンドを区別してもよい。
【０１５８】
また、上記実施の形態で説明したＣＣＥは論理的なリソースであり、ＣＣＥを実際の物理的な時間・周波数リソースへ配置する際には、ＣＣＥは単位バンド内の全帯域に渡って分散して配置される。また、論理的なリソースとしてのＣＣＥが単位バンド毎に分割されてさえいれば、実際の物理的な時間・周波数リソースへのＣＣＥの配置は、全システム帯域（つまり全単位バンド）に渡って分散した配置でもよい。
【０１５９】
また、端末はＵＥ、基地局はNode BまたはBS（Base Station）と呼ばれることもある。また、端末ＩＤはＵＥ−ＩＤと呼ばれることもある。
【０１６０】
また、上記実施の形態では、本発明をハードウェアで構成する場合を例にとって説明したが、本発明はソフトウェアで実現することも可能である。
【０１６１】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１６３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６４】
２００９年８月１７日出願の特願２００９−１８８７２１の日本出願に含まれる明細書、図面および要約書の開示内容は、すべて本願に援用される。
【産業上の利用可能性】
【０１６５】
本発明は、移動体通信システム等に適用することができる。
【符号の説明】
【０１６６】
１００  基地局
１０１  単位バンド設定部
１０２  制御部
１０３  サーチスペース設定部
１０４  ＰＤＣＣＨ生成部
１０５，１０７，１０８  符号化・変調部
１０６  割当部
１０９  多重部
１１０，２１３  ＩＦＦＴ部
１１１，２１４  ＣＰ付加部
１１２，２１５  送信ＲＦ部
１１３，２０１  アンテナ
１１４，２０２  受信ＲＦ部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
２００  端末
２０５  分離部
２０６  設定情報受信部
２０７  ＰＤＣＣＨ受信部
２０８  ＰＤＳＣＨ受信部
２０９，２１０  変調部
２１１  ＤＦＴ部
２１２  マッピング部
【図１】
2014195313.tif 000003
【図２】
2014195313.tif 000004
【図３】
2014195313.tif 000005
【図４】
2014195313.tif 000006
【図５】
2014195313.tif 000007
【図６】
2014195313.tif 000008
【図７】
2014195313.tif 000009
【図８】
2014195313.tif 000010